(57)【要約】  生体測定装置の設定を簡便に行えるようにする。設定装置（７）は、生体測定装置（１０１）に設定される個人情報および身体情報、ならびに、生体測定装置（１０１）による測定結果の出力態様を示す出力態様情報が格納される記憶部（３０）と、生体測定装置（１０１）から設定要求、機器ＩＤおよび種別ＩＤを取得する設定要求取得部（２３）と、設定要求取得部（２３）が設定要求を取得した場合に、記憶部（３０）から必要な個人情報や身体情報ならびに適切な出力態様情報を読み出す設定情報管理部（２７）と、設定情報管理部（２７）が読み出した上記の各情報が示す各種設定内容を生体測定装置（１０１）へ通知する設定情報出力部（２６）とを備えている。
2007148681.tif 000002
【特許請求の範囲】
【請求項１】
生体に関する情報を測定する生体測定装置を設定するための設定装置であって、
生体測定装置に適用される設定内容が示された設定情報を複数格納する設定情報記憶部と、
上記生体測定装置に関する情報である装置情報を取得する装置情報取得部と、
上記設定情報記憶部から、上記装置情報取得部の取得した装置情報に基づいて１または複数の設定情報を読み出す設定情報管理部と、
上記設定情報管理部が読み出した設定情報が示す設定内容を上記生体測定装置へ通知する設定情報出力部とを備えていることを特徴とする設定装置。
【請求項２】
上記装置情報は、上記生体測定装置の設定に必要な設定情報の種別を特定するための情報であることを特徴とする請求項１に記載の設定装置。
【請求項３】
上記設定情報記憶部は、上記設定情報として、上記生体測定装置の測定対象となるユーザの身体情報または個人情報を格納することを特徴とする請求項２に記載の設定装置。
【請求項４】
上記設定情報記憶部に格納された設定情報の有効期間を示す有効期間情報を格納する有効期間記憶部と、
ユーザへの通知を行う通知部とをさらに備え、
上記通知部は、上記設定情報記憶部に格納された設定情報が作成あるいは登録されてから上記有効期間記憶部に格納された有効期間情報によって示される有効期間を経過していると検出された場合に、ユーザに対して通知を行うことを特徴とする請求項３に記載の設定装置。
【請求項５】
上記装置情報と、上記設定情報を特定するための識別子である設定情報識別子とが対応付けて格納される設定項目記憶部をさらに備え、
上記設定情報記憶部は、上記設定情報を複数の項目について格納するとともに、個々の設定情報を上記設定情報識別子と対応付けて格納し、
上記設定情報管理部は、上記設定項目記憶部から、上記装置情報取得部が取得した装置情報に対応する上記設定情報識別子を読み出すとともに、上記設定情報記憶部から、読み出した上記設定情報識別子に対応する上記設定情報を選出し、
上記設定情報出力部は、上記設定情報管理部によって選出された設定情報が示す設定内容を上記生体測定装置へ通知することを特徴とする請求項３に記載の設定装置。
【請求項６】
上記設定情報記憶部は、上記設定情報を複数の項目について格納するとともに、個々の設定情報を該設定情報の秘匿性の度合を示す秘匿度と対応付けて格納し、
上記設定情報管理部は、上記設定情報記憶部に格納された上記秘匿度と所定の閾値との比較結果に基づいて、上記設定情報記憶部に格納された複数の上記設定情報の中から１または複数の上記設定情報を選出し、
上記設定情報出力部は、上記設定情報管理部によって選出された設定情報が示す設定内容を上記生体測定装置へ通知することを特徴とする請求項３に記載の設定装置。
【請求項７】
通知部をさらに備え、
上記設定情報記憶部は、上記設定情報を複数の項目について格納するとともに、個々の設定情報を該設定情報の秘匿性の度合を示す秘匿度と対応付けて格納し、
上記設定情報管理部は、上記設定情報記憶部に格納された上記秘匿度と所定の閾値とを比較し、
上記通知部は、上記設定情報管理部による比較結果に応じて、上記設定情報によって示される設定内容を上記生体測定装置へ通知するか否かをユーザに問い合わせることを特徴とする請求項３に記載の設定装置。
【請求項８】
上記設定情報管理部は、装置情報取得部によって取得された装置情報に基づいて設定された閾値を上記秘匿度と比較することを特徴とする請求項６または７に記載の設定装置。
【請求項９】
上記閾値は、上記設定情報出力部による上記生体測定装置への通知態様の安全性の度合に基づいたものであることを特徴とする請求項６または７に記載の設定装置。
【請求項１０】
ユーザへの通知を行う通知部と、
計時部とをさらに備え、
上記設定情報記憶部は、上記設定情報を、当該設定情報を作成あるいは更新した時期と対応付けて格納し、
上記通知部は、上記設定情報が作成あるいは更新されてから所定の期間が経過していることが上記時期および上記計時部に基づいて検出されると、ユーザに通知を行うことを特徴とする請求項３に記載の設定装置。
【請求項１１】
上記設定情報記憶部は、上記設定情報を複数の項目について格納するとともに、上記所定の期間が、上記設定情報の項目ごとに異なっていることを特徴とする請求項１０に記載の設定装置。
【請求項１２】
上記通知は、上記設定情報の更新を促すものであることを特徴とする請求項１０または１１に記載の設定装置。
【請求項１３】
上記設定情報記憶部は、上記設定情報として、上記生体測定装置による測定結果の出力態様を示す出力態様情報を格納し、
上記装置情報は、上記生体測定装置の測定項目を特定するための情報であり、
上記設定情報管理部は、上記装置情報取得部の取得した装置情報に基づいて、上記生体測定装置の測定項目を特定し、特定した測定項目に基づいて、上記設定情報記憶部から出力態様情報を選出し、
上記設定情報出力部は、上記設定情報管理部が選出した出力態様情報が示す設定内容を上記生体測定装置へ通知することを特徴とする請求項１に記載の設定装置。
【請求項１４】
上記測定結果を取得してユーザに通知する通知部をさらに備え、
上記設定情報記憶部は、上記測定結果を上記生体測定装置によってユーザに通知する出力態様を示す第１の出力態様情報と、上記測定結果を上記通知部によってユーザに通知する出力態様を示す第２の出力態様情報とを含む複数の出力態様情報を格納することを特徴とする請求項１３に記載の設定装置。
【請求項１５】
上記生体測定装置の測定項目の秘匿性の度合を示す秘匿度を該測定項目と対応付けて格納する秘匿度記憶部をさらに備え、
上記設定情報管理部は、特定した上記測定項目に対応する秘匿度を上記秘匿度記憶部から読み出すとともに、読み出した上記秘匿度に基づいて上記設定情報記憶部から上記出力態様情報を選出することを特徴とする請求項１３に記載の設定装置。
【請求項１６】
上記設定情報記憶部は、個々の上記出力態様情報を、該出力態様情報によって示される出力態様の安全性の度合を示す安全度と対応付けて格納し、
上記設定情報管理部は、特定した上記測定項目と上記安全度とに基づいて上記設定情報記憶部から上記出力態様情報を選出することを特徴とする請求項１３に記載の設定装置。
【請求項１７】
上記生体測定装置の測定項目の秘匿性の度合を示す秘匿度を該測定項目と対応付けて格納する秘匿度記憶部をさらに備え、
上記設定情報記憶部は、個々の上記出力態様情報を、該出力態様情報によって示される出力態様の安全性の度合を示す安全度と対応付けて格納し、
上記設定情報管理部は、特定した上記測定項目に対応する秘匿度を上記秘匿度記憶部から読み出すとともに、読み出した上記秘匿度と上記安全度とに基づいて上記設定情報記憶部から上記出力態様情報を選出することを特徴とする請求項１３に記載の設定装置。
【請求項１８】
上記設定情報管理部は、上記設定情報記憶部に格納された上記出力態様情報の中から、複数の上記出力態様情報の候補を選出し、
上記設定情報出力部は、上記設定情報管理部によって選出された上記候補の中からユーザによって指定された何れか１つの上記出力態様情報が示す出力態様を上記生体測定装置へ通知することを特徴とする請求項１４から１７の何れか１項に記載の設定装置。
【請求項１９】
上記設定情報記憶部は、上記設定情報として、上記生体測定装置による測定結果の登録先を示す登録先情報を格納することを特徴とする請求項１３に記載の設定装置。
【請求項２０】
上記生体測定装置と無線通信を行うための無線通信ユニットを有し、
上記設定情報出力部は、上記無線通信ユニットを用いて、上記生体測定装置へ上記設定内容を送信することを特徴とする請求項１から１９の何れか１項に記載の設定装置。
【請求項２１】
上記生体測定装置と無線通信を行うための無線通信ユニットを有し、
上記通知部は、上記無線通信ユニットを用いて、上記生体測定装置から上記測定結果を受信することを特徴とする請求項１４に記載の設定装置。
【請求項２２】
上記装置情報取得部は、上記装置情報を上記生体測定装置から取得することを特徴とする請求項１から２１の何れか１項に記載の設定装置。
【請求項２３】
操作入力ユニットをさらに備え、
上記装置情報取得部は、上記装置情報を上記操作入力ユニットから取得することを特徴とする請求項１から２１の何れか１項に記載の設定装置。
【請求項２４】
携帯電話機であることを特徴とする請求項１から２３の何れか１項に記載の設定装置。
【請求項２５】
請求項１から２４の何れか１項に記載の設定装置の各部としてコンピュータを機能させるためのプログラム。
【請求項２６】
請求項２５に記載のプログラムが記録されたコンピュータ読み取り可能な記録媒体。
【請求項２７】
生体情報を測定するための生体測定装置であって、
自機に関する情報である装置情報を外部装置へ通知する装置情報通知部と、
上記装置情報通知部が通知した装置情報に応じて返信される設定内容を取得する設定内容取得部と、
上記設定内容取得部が取得した設定内容に基づいて設定を行う設定部とを備えていることを特徴とする生体測定装置。
【請求項２８】
請求項２７に記載の生体測定装置の各部としてコンピュータを機能させるためのプログラム。
【請求項２９】
請求項２８に記載のプログラムが記録されたコンピュータ読み取り可能な記録媒体。
【請求項３０】
生体情報を測定する生体測定装置と、該生体測定装置を設定するための設定装置とを含む生体測定装置の設定システムであって、
上記設定装置は、
上記生体測定装置に適用される設定内容が示された設定情報を複数格納する設定情報記憶部と、
上記生体測定装置に関する情報である装置情報を取得する装置情報取得部と、
上記設定情報記憶部から、上記装置情報取得部の取得した装置情報に基づいて１または複数の設定情報を読み出す設定情報管理部と、
上記設定情報管理部が読み出した設定情報が示す設定内容を上記生体測定装置へ通知する設定情報出力部とを備え、
上記生体測定装置は、
上記設定装置へ上記装置情報を通知する装置情報通知部と、
上記設定装置から通知される設定内容を取得する設定内容取得部と、
上記設定内容取得部が取得した上記設定内容に基づいて設定を行う設定部とを備えていることを特徴とする生体測定装置の設定システム。
【請求項３１】
設定装置を用いた、生体情報を測定する生体測定装置の設定方法であって、
上記設定装置が、上記生体測定装置に関する情報である装置情報を取得する装置情報取得工程と、
上記設定装置が、上記生体測定装置に適用される設定内容が示された設定情報を複数格納する上記設定情報記憶部から、上記装置情報取得工程によって取得した装置情報に基づいて１または複数の上記設定情報を読み出す設定情報管理工程と、
上記設定装置が、上記設定情報管理工程によって読み出された設定情報が示す設定内容を上記生体測定装置へ通知する設定情報出力工程とを含んでいることを特徴とする生体測定装置の設定方法。
【発明の詳細な説明】
【技術分野】
【０００１】
本発明は、生体の各種情報を測定する生体測定装置に対して設定を行うための設定装置に関し、特に、例えば体脂肪計・歩数系・血圧計・脈波計などの生体測定装置に対して設定に必要な情報を通知する設定装置に関するものである。また、本発明は、上記生体測定装置、上記生体測定装置の設定システム、上記生体測定装置の設定方法、プログラム、コンピュータ読み取り可能な記録媒体にも関するものである。
【背景技術】
【０００２】
近年、「ヘルスケア」市場の拡大とともに、生体情報を測定する装置（以下、「生体測定装置」という）として、体脂肪計、歩数系、血圧計、脈波計など、多種の機器が商品化されている。現在販売されている機器の中には、体脂肪率、筋肉率、内臓脂肪率などを正確に計測して適切な診断を行うために、身長、年齢、性別などの個人情報や身体情報の入力を必要とするものもある。今後、更に健康思考が高まり、このような機器を連携させた健康管理サービスや在宅医療サービスなどの各種サービスがますます展開されると、より多くの機器においてこうした個人情報の入力が必要となってくると考えられる。【０００３】
また、測定した生体情報を広域ネットワークあるいはＬＡＮなどのネットワーク上のサーバで管理する仕組みも考えられ始めている。こうした場合には、個々の生体測定装置に対して、ネットワークに接続してサーバと通信させるための情報も入力する必要が生じる。【０００４】
ところが、通常、生体測定装置は設定を行うための操作部が貧弱であるため、生体測定装置の多様化と共に個人が数多くの生体測定装置を所有するようになると、個人情報や通信などの設定を各装置に対して逐一行うことが煩わしくなると予想される。また、複数人で同じ機器を使用する場合は、自身の設定を使用時に繰り返し入力する必要もでてくる。【０００５】
ところで、特許文献１では、デジタルカメラに対して個人に合わせた設定を自動的に行うシステムが開示されている。具体的には、腕時計型の設定データ記録機器に該機器を所有するユーザの設定データを保存しておき、必要に応じて設定データをこの設定データ記録機器から無線でデジタルカメラに送信する構成が開示されている。
【特許文献１】日本国公開特許公報「特開２００２−１３２３７４号公報（公開日：平成１４年５月１０日）」
【発明の開示】
【０００６】
しかしながら、生体測定装置に対して自動的に設定を行う設定装置は未だ開発されていない。上述したように、近年の健康志向に伴い、個人が日常的に使用する生体測定装置の数は著しく増加している。また、生体測定装置のユーザには高齢者が数多く存在するが、高齢者にとって、生体測定装置に設定情報を入力することは困難である場合が少なくない。
【０００７】
本発明は、上記従来の問題点に鑑みてなされたものであり、その目的は、生体測定装置の設定を簡便に行えるようにすることにある。
【０００８】
上記課題を解決するために、本発明に係る設定装置は、生体に関する情報を測定する生体測定装置を設定するための設定装置であって、生体測定装置に適用される設定内容が示された設定情報を複数格納する設定情報記憶部と、上記生体測定装置に関する情報である装置情報を取得する装置情報取得部と、上記設定情報記憶部から、上記装置情報取得部の取得した装置情報に基づいて１または複数の設定情報を読み出す設定情報管理部と、上記設定情報管理部が読み出した設定情報が示す設定内容を上記生体測定装置へ通知する設定情報出力部とを備えていることを特徴とする。
【０００９】
また、上記課題を解決するために、本発明に係る生体測定装置の設定システムは、生体情報を測定する生体測定装置と、該生体測定装置を設定するための設定装置とを含む生体測定装置の設定システムであって、上記設定装置は、上記生体測定装置に適用される設定内容が示された設定情報を複数格納する設定情報記憶部と、上記生体測定装置に関する情報である装置情報を取得する装置情報取得部と、上記設定情報記憶部から、上記装置情報取得部の取得した装置情報に基づいて１または複数の設定情報を読み出す設定情報管理部と、上記設定情報管理部が読み出した設定情報が示す設定内容を上記生体測定装置へ通知する設定情報出力部とを備え、上記生体測定装置は、上記設定装置へ上記装置情報を通知する装置情報通知部と、上記設定装置から通知される設定内容を取得する設定内容取得部と、上記設定内容取得部が取得した上記設定内容に基づいて設定を行う設定部とを備えていることを特徴とする。
【００１０】
また、上記課題を解決するために、本発明に係る生体測定装置の設定方法は、設定装置を用いた、生体情報を測定する生体測定装置の設定方法であって、上記設定装置が、上記生体測定装置に関する情報である装置情報を取得する装置情報取得工程と、上記設定装置が、上記生体測定装置に適用される設定内容が示された設定情報を複数格納する上記設定情報記憶部から、上記装置情報取得工程によって取得した装置情報に基づいて１または複数の上記設定情報を読み出す設定情報管理工程と、上記設定装置が、上記設定情報管理工程によって読み出された設定情報が示す設定内容を上記生体測定装置へ通知する設定情報出力工程とを含んでいることを特徴とする。
【００１１】
上記構成によれば、生体測定装置に関する情報である装置情報に基づいて、設定情報管理部（設定情報管理工程）によって、設定情報記憶部から設定情報が読み出され、読み出された設定情報が示す設定内容が、設定情報出力部（設定情報出力工程）によって生体測定装置へ通知される。このように、設定情報を設定装置の記憶部に予め格納しておくことによって、生体測定装置の使用時など、設定が必要なときにユーザが煩雑な操作を行う必要をなくすことができる。
【００１２】
応用の一例を挙げると、例えば生体測定装置のユーザが高齢者などであっても、医療機関などにおいて医療従事者が設定装置の記憶部に設定情報を入力しておけば、高齢者自らが煩雑な設定を行うことなく生体測定装置を使用することもできるようになる。また、ある生体測定装置を複数のユーザで共用する場合であっても、使用する前にその都度ユーザが煩雑な操作を行って設定を行う必要がなくなる。
【００１３】
また、装置情報取得部が取得した装置情報に基づいて、設定情報管理部によって、設定情報記憶部に格納された複数の設定情報の中から、生体測定装置に通知される設定内容を含む設定情報が取捨選択されて読み出されるので、設定を行う生体測定装置に応じて、適切な設定を行うことができる。
【００１４】
以上のように、本発明によれば、生体測定装置に対してユーザが煩雑な操作を行うことなく、生体測定装置の各種設定を簡便に行うことができる。
【００１５】
なお、上記装置情報は、上記生体測定装置の設定に必要な設定情報の種別を特定するための情報であってもよい。具体的には、上記装置情報は、生体測定装置の固有識別情報（例えば製造番号やＩＰアドレス）や、測定項目に基づいて分類される生体測定装置の種別（例えば体脂肪計・脈波計など）を示す情報、生体測定装置の型番、またはこれらの組み合わせなどであってもよい。
【００１６】
生体測定装置に設定すべき設定内容の種類は、生体測定装置の種別に応じて異なるが、上記構成によれば、生体測定装置の種別に応じて適切な設定内容を生体測定装置へ通知することができる。
【００１７】
また、上記設定情報記憶部は、上記設定情報として、上記生体測定装置の測定対象となるユーザの身体情報または個人情報を格納してもよい。
【００１８】
近年の生体測定装置の中には、生体情報の測定を行うために、あるいは、生体情報の測定結果に基づいて簡易な診断を行うために、ユーザに対して身体情報や個人情報を求めるものもある。一例を挙げると、体脂肪率の測定や診断も可能な体重計の中には、ユーザの身長や年齢の入力を求めるものがある。ここで上記構成によれば、上記設定情報記憶部には、ユーザの身体情報または個人情報が格納され、生体測定装置が設定要求を通知してきた際に、設定装置から身体情報または個人情報が生体測定装置へ通知される。従って、生体測定装置が測定時に必要とする身体情報や個人情報の設定を容易に行うことができるようになる。
【００１９】
また、上記設定装置は、上記設定情報記憶部に格納された設定情報の有効期間を示す有効期間情報を格納する有効期間記憶部と、ユーザへの通知を行う通知部とをさらに備え、上記通知部は、上記設定情報記憶部に格納された設定情報が作成あるいは登録されてから上記有効期間記憶部に格納された有効期間情報によって示される有効期間を経過していると検出された場合に、ユーザに対して通知を行うことが好ましい。  生体測定装置へ通知される身体情報や個人情報の中には、時間の経過とともに変動し、所定の期間ごとに更新した方がよいものもある。上記構成によれば、作成あるいは更新されてから有効期間を経過している設定情報が検出されると、通知部によってユーザに通知が行われる。従って、ユーザが身体情報や個人情報の更新を忘れ、長期間放置してしまうといった問題を予防することができる。
【００２０】
また、上記設定装置は、上記装置情報と、上記設定情報を特定するための識別子である設定情報識別子とが対応付けて格納される設定項目記憶部をさらに備え、上記設定情報記憶部は、上記設定情報を複数の項目について格納するとともに、個々の設定情報を上記設定情報識別子と対応付けて格納し、上記設定情報管理部は、上記設定項目記憶部から、上記装置情報取得部が取得した装置情報に対応する上記設定情報識別子を読み出すとともに、上記設定情報記憶部から、読み出した上記設定情報識別子に対応する上記設定情報を選出し、上記設定情報出力部は、上記設定情報管理部によって選出された設定情報が示す設定内容を上記生体測定装置へ通知することが好ましい。
【００２１】
上述した特許文献１の技術では、設定情報をプロファイリングのように設定対象機器ごとに用意する必要があるため、設定対象機器ごとに設定情報のセット（設定ファイル）を作成しなければならないといった欠点や、個々の設定情報が一つの機器にしか適用できず応用性にかけるといった欠点がある。
【００２２】
これに対して本発明の構成によれば、設定情報記憶部には、複数の項目について身体情報や個人情報などの設定情報が格納される。そして、設定情報管理部によって、設定を行う生体測定装置に必要な項目の識別子が設定項目記憶部から装置情報に基づいて読み出されるとともに、設定情報記憶部から、読み出された識別子に対応する設定情報が選出される。このため、要求する設定情報の項目が異なる複数の生体測定装置に対して設定を行うために、生体測定装置ごとに設定情報のセットを用意することなく、生体測定装置間で共通して利用する項目の設定情報を共用することができる。このように、複数の項目にわたる設定情報を一元管理することにより、設定情報の管理の効率を向上させることができる。
【００２３】
また、上記設定情報記憶部は、上記設定情報を複数の項目について格納するとともに、個々の設定情報を該設定情報の秘匿性の度合を示す秘匿度と対応付けて格納し、上記設定情報管理部は、上記設定情報記憶部に格納された上記秘匿度と所定の閾値との比較結果に基づいて、上記設定情報記憶部に格納された複数の上記設定情報の中から１または複数の上記設定情報を選出し、上記設定情報出力部は、上記設定情報管理部によって選出された設定情報が示す設定内容を上記生体測定装置へ通知することが好ましい。
【００２４】
生体測定装置に対して設定される身体情報や個人情報の中には、例えば体重や年齢など、第三者に知られたくない情報もある。上記構成によれば、個々の設定情報には、その設定情報の秘匿性の度合を示す秘匿度が対応付けられており、設定情報管理部は、秘匿度と閾値との比較結果に基づいて、記憶部から設定情報を選出する。それゆえ、秘匿度と閾値との比較結果によっては、選出されない設定情報もある。よって、第三者に知られたくない設定情報を秘匿度に基づいて判断し、これらの設定内容を生体測定装置へ通知しないようにすることができ、ユーザのプライバシーに配慮した設定環境を提供することができる。
【００２５】
また、上記設定装置は、通知部をさらに備え、上記設定情報記憶部は、上記設定情報を複数の項目について格納するとともに、個々の設定情報を該設定情報の秘匿性の度合を示す秘匿度と対応付けて格納し、上記設定情報管理部は、上記設定情報記憶部に格納された上記秘匿度と所定の閾値とを比較し、上記通知部は、上記設定情報管理部による比較結果に応じて、上記設定情報によって示される設定内容を上記生体測定装置へ通知するか否かをユーザに問い合わせてもよい。
【００２６】
上記構成によれば、第三者に知られたくない身体情報や個人情報を秘匿度に基づいて判断し、その内容を生体測定装置へ通知するか否かをユーザに問い合わせることができる。それゆえ、ユーザのプライバシーに配慮した設定環境を提供することができる。
【００２７】
なお、上記設定情報管理部は、装置情報取得部によって取得された装置情報に基づいて設定された閾値を上記秘匿度と比較することが好ましい。
【００２８】
上記構成によれば、閾値は、生体測定装置の装置情報に基づいたものとなる。つまり、閾値が、設定を行う生体測定装置に適応した値となるので、設定を行う生体測定装置に応じて適切な判断を行うことができるようになる。なお、このときの装置情報としては、例えば、生体測定装置の識別情報もしくは種別情報、生体測定装置の設置場所を示す設置場所情報、生体測定装置への設定情報の出力態様を示す設定情報出力態様情報、または、生体測定装置への設定情報の出力態様の安全性の度合を示す安全度情報などが挙げられる。
【００２９】
あるいは、上記閾値は、上記設定情報出力部による上記生体測定装置への通知態様の安全性の度合に基づいたものであってもよい。
【００３０】
上記構成によれば、設定情報の秘匿度と通知態様の安全性の度合との比較結果に応じて、その設定内容を生体測定装置に通知するか否か、あるいは、その設定内容を生体測定装置へ通知することの要否をユーザに問い合わせるか否かが決定される。従って、例えば、通知態様の安全性が確保されない場合（すなわち傍聴されやすい通知態様の場合）には、特定の設定情報の内容を測定装置に対して通知しない、あるいは、通知するか否かをユーザの判断にゆだねることができる。
【００３１】
なお、上記秘匿度は、ユーザによって設定可能であることが好ましい。
【００３２】
また、上記設定装置は、ユーザへの通知を行う通知部と、計時部とをさらに備え、上記設定情報記憶部は、上記設定情報を、当該設定情報を作成あるいは更新した時期と対応付けて格納し、上記通知部は、上記設定情報が作成あるいは更新されてから所定の期間が経過していることが上記時期および上記計時部に基づいて検出されると、ユーザに通知を行うことが好ましい。
【００３３】
生体測定装置へ通知される身体情報や個人情報の中には、時間の経過とともに変動し、所定の期間ごとに更新した方がよいものもある。上記構成によれば、更新されてから所定の期間が経過している設定情報が検出されると、通知部によってユーザに通知が行われる。従って、ユーザが身体情報や個人情報の更新を忘れ、長期間放置してしまうといった問題を予防することができる。
【００３４】
上記設定情報記憶部は、上記設定情報を複数の項目について格納するとともに、上記所定の期間が、上記設定情報の項目ごとに異なっていることが好ましい。
【００３５】
上記構成によれば、身体情報や個人情報の種別に応じて、更新時期を適切に判断することができる。
【００３６】
なお、上記通知は、上記設定情報の更新を促すものとしてもよい。
【００３７】
また、上記設定情報記憶部は、上記設定情報として、上記生体測定装置による測定結果の出力態様を示す出力態様情報を格納し、上記装置情報は、上記生体測定装置の測定項目を特定するための情報であり、上記設定情報管理部は、上記装置情報取得部の取得した装置情報に基づいて、上記生体測定装置の測定項目を特定し、特定した測定項目に基づいて、上記設定情報記憶部から出力態様情報を選出し、上記設定情報出力部は、上記設定情報管理部が選出した出力態様情報が示す設定内容を上記生体測定装置へ通知するものであってもよい。
【００３８】
従来、生体測定装置による測定結果をユーザに通知する場合には、装置に備わった表示部に測定結果を表示する態様しかないことが普通であった。しかしながら、近年の生体測定装置の高度化に伴い、測定結果の出力態様を様々に設定することができるようになっている。ここで上記構成によれば、上記設定情報記憶部には、生体測定装置による測定結果の出力態様を示す出力態様情報が格納され、生体測定装置が設定要求を通知してきた際に、測定装置から出力態様情報によって示される出力態様が生体測定装置へ通知される。従って、生体測定装置が測定結果を出力する際に必要となる出力態様の設定を容易に行うことができるようになる。
【００３９】
さらに、生体測定装置によって測定される測定項目の中には、例えば体重など測定結果を第三者に知られたくないものもある。ここで上記構成によれば、設定情報管理部は、生体測定装置の測定項目に基づいて出力態様情報を選出する。よって、測定結果が第三者に知られたくないものであるか否かに応じて、これらの測定結果を好適な出力態様でユーザへ通知するように設定することができ、ユーザのプライバシーに配慮した出力態様となるように生体測定装置を設定することができる。
【００４０】
また、上記設定装置は、上記測定結果を取得してユーザに通知する通知部をさらに備え、上記設定情報記憶部は、上記測定結果を上記生体測定装置によってユーザに通知する出力態様を示す第１の出力態様情報と、上記測定結果を上記通知部によってユーザに通知する出力態様を示す第２の出力態様情報とを含む複数の出力態様情報を格納するものであってもよい。
【００４１】
上記構成によれば、設定装置は、測定結果を生体測定装置から取得してユーザに通知する通知部を有しているとともに、測定結果の出力態様として、生体測定装置が通知する第１の出力態様と、自身の通知部が通知する第２の出力態様とを含む複数の出力態様から何れかを選出するとともに、選出した出力態様で測定結果を出力させるよう生体測定装置を設定する。これにより、生体測定装置に通知させたり、設定装置に通知させたりするといったような設定を行うことが可能になる。それゆえ、例えば、公共の場に設置された生体測定装置によって生体情報を測定する際に、例えば身長などの第三者以外に知られても構わないような測定結果については生体測定装置に表示させる一方、体重などの第三者には知られたくないような測定結果については手元の設定装置に表示させるといったことも可能になる。
【００４２】
また、上記生体測定装置の測定項目の秘匿性の度合を示す秘匿度を該測定項目と対応付けて格納する秘匿度記憶部をさらに備え、上記設定情報管理部は、特定した上記測定項目に対応する秘匿度を上記秘匿度記憶部から読み出すとともに、読み出した上記秘匿度に基づいて上記設定情報記憶部から上記出力態様情報を選出することが好ましい。
【００４３】
生体測定装置によって測定される測定項目の中には、例えば体重など測定結果を第三者に知られたくないものもある。ここで上記構成によれば、秘匿度記憶部には、測定項目の秘匿性の度合を示す秘匿度が格納され、設定情報管理部は、測定項目の秘匿度に基づいて出力態様情報を選出する。よって、測定結果が第三者に知られたくないものであるか否かを秘匿度に基づいて判断し、これらの測定結果を好適な出力態様でユーザへ通知するように設定することができ、ユーザのプライバシーに配慮した出力態様となるように生体測定装置を設定することができる。
【００４４】
また、上記設定情報記憶部は、個々の上記出力態様情報を、該出力態様情報によって示される出力態様の安全性の度合を示す安全度と対応付けて格納し、上記設定情報管理部は、特定した上記測定項目と上記安全度とに基づいて上記設定情報記憶部から上記出力態様情報を選出することが好ましい。
【００４５】
生体測定装置による測定結果を出力するための出力態様の中には、安全性の高いものから安全性の低いものまで、様々な安全性のものが含まれる。ここで上記構成によれば、設定情報記憶部には、出力態様情報とともに、該出力態様情報によって示される出力態様の安全性の度合を示す安全度が対応付けて格納される。そして、設定情報管理部は、出力態様の異なる複数の出力態様情報の中から、各出力態様情報に対応付けられた安全度に基づいて、適切な出力態様を示す出力態様情報を選出する。従って、出力態様の安全度を考慮して測定結果の出力態様を決定することができる。
【００４６】
また、上記生体測定装置の測定項目の秘匿性の度合を示す秘匿度を該測定項目と対応付けて格納する秘匿度記憶部をさらに備え、上記設定情報記憶部は、個々の上記出力態様情報を、該出力態様情報によって示される出力態様の安全性の度合を示す安全度と対応付けて格納し、上記設定情報管理部は、特定した上記測定項目に対応する秘匿度を上記秘匿度記憶部から読み出すとともに、読み出した上記秘匿度と上記安全度とに基づいて上記設定情報記憶部から上記出力態様情報を選出することが好ましい。
【００４７】
上記構成によれば、測定結果の秘匿度と出力態様の安全度とに基づいて、測定結果の出力態様を示す出力態様情報が選出される。従って、測定結果の秘匿度および出力態様の安全度の双方を考慮して、適切な出力態様となるように生体測定装置を設定することができる。
【００４８】
上記設定情報管理部は、上記設定情報記憶部に格納された上記出力態様情報の中から、複数の上記出力態様情報の候補を選出し、上記設定情報出力部は、上記設定情報管理部によって選出された上記候補の中からユーザによって指定された何れか１つの上記出力態様情報が示す出力態様を上記生体測定装置へ通知してもよい。
【００４９】
上記構成によれば、設定情報管理部によって、複数の出力態様情報の候補が選出され、選出された候補の中からユーザによって指定された出力態様が読み出される。従って、ユーザの意向も取り入れた出力態様の設定が可能になる。
【００５０】
なお、上記秘匿度または安全度は、ユーザによって設定可能であることが好ましい。
【００５１】
また、上記設定情報記憶部は、上記設定情報として、上記生体測定装置による測定結果の登録先を示す登録先情報を格納してもよい。
【００５２】
近年の生体測定装置の中には、例えば、医療機関や医療情報を管理する管理会社などに設置されたサーバと通信ネットワークを介して接続され、測定結果を逐一サーバに登録するものもある。このようなシステムを取り入れることにより、日々の測定結果を診療や診断に利用して高度な医療サービスを実現できる反面、生体測定装置に対して煩雑な操作によって登録先を設定しなければならなかった。しかしながら、上記構成によれば、生体測定装置に対してこのような登録先の設定を容易に行うことができるようになる。
【００５３】
また、上記設定装置は、上記生体測定装置と無線通信を行うための無線通信ユニットを有し、上記設定情報出力部は、上記無線通信ユニットを用いて、上記生体測定装置へ上記設定内容を送信することが好ましい。
【００５４】
上記構成によれば、生体測定装置を設定する際に、設定装置を生体測定装置に接触させたり、設定装置と生体測定装置をケーブルで接続したりといった特別な操作を行う必要をなくすことができる。
【００５５】
また、上記設定装置は、上記生体測定装置と無線通信を行うための無線通信ユニットを有し、上記通知部は、上記無線通信ユニットを用いて、上記生体測定装置から上記測定結果を受信することが好ましい。
【００５６】
上記構成によれば、ユーザが生体測定装置による測定結果を設定装置に通知させる際に、設定装置を生体測定装置に接触させたり、設定装置と生体測定装置をケーブルで接続したりといった特別な操作を行う必要をなくすことができる。
【００５７】
なお、上記装置情報取得部は、上記装置情報を上記生体測定装置から取得してもよい。あるいは、上記設定装置は、操作入力部をさらに備え、上記装置情報取得部は、上記装置情報を上記操作入力部から取得してもよい。
【００５８】
また、上記設定装置は、携帯電話機であってもよい。
【００５９】
現在、携帯電話機は、普及率が特に高く、また、常に携帯する割合が高い機器でもある。従って、この携帯電話機に生体測定装置の設定機能を持たせることで、さらなる装置を携帯させることなく、生体測定装置の快適な使用環境をユーザに提供することができる。
【００６０】
また、上記課題を解決するために、本発明に係る生体測定装置は、生体情報を測定するための生体測定装置であって、自機に関する情報である装置情報を外部装置へ通知する装置情報通知部と、上記装置情報通知部が通知した装置情報に応じて返信される設定内容を取得する設定内容取得部と、上記設定内容取得部が取得した設定内容に基づいて設定を行う設定部とを備えていることを特徴とする。
【００６１】
上記構成によれば、装置情報通知部によって、装置情報が設定装置へ通知される。そして、設定装置から返信された設定内容が、設定内容取得部によって取得されるとともに、その設定内容に基づいて設定部によって設定が行われる。従って、ユーザがこの生体測定装置を使用するときに、設定を行うために煩雑な操作を行う必要をなくすことができる。また、この生体測定装置を複数のユーザで共用する場合であっても、使用する前にその都度ユーザが煩雑な操作を行って設定を行う必要がなくなる。以上のように、本発明によれば、生体測定装置に対してユーザが煩雑な操作を行うことなく、生体測定装置の各種設定を簡便に行うことができる。
【００６２】
ところで、上述した設定装置および生体測定装置は、ハードウェアで実現してもよいし、プログラムをコンピュータに実行させることによって実現してもよい。具体的には、本発明に係るプログラムは、設定装置または生体測定装置の各部としてコンピュータを動作させるプログラムであり、本発明に係る記録媒体には、当該プログラムが記録されている。
【００６３】
これらのプログラムがコンピュータによって実行されると、当該コンピュータは、上述した設定装置または生体測定装置として機能する。したがって、生体測定装置の各種設定を簡便に行うことができる。
【００６４】
本発明の他の目的、特徴、および優れた点は、以下に示す記載によって十分分かるであろう。また、本発明の利点は、添付図面を参照した次の説明によって明白になるであろう。
【図面の簡単な説明】
【００６５】
【図１】本発明の一実施形態を示すものであり、設定装置の構成を示す機能ブロック図である。
【図２】本発明の一実施形態を示すものであり、生体測定装置の設定システムの全体構成を示す図である。
【図３】本発明の一実施形態を示すものであり、生体測定装置の構成を示す機能ブロック図である。
【図４】本発明の一実施形態を示すものであり、生体測定装置によって実行される測定・診断処理手順を示すフロー図である。
【図５】本発明の一実施形態を示すものであり、ユーザ情報データベースの一例を示す図である。
【図６】本発明の一実施形態を示すものであり、期限情報テーブルの一例を示す図である。
【図７】本発明の一実施形態を示すものであり、宅内装置テーブルの一例を示す図である。
【図８】本発明の一実施形態を示すものであり、出力態様テーブルの一例を示す図である。
【図９】本発明の一実施形態を示すものであり、設定情報出力安全度テーブルの一例を示す図である。
【図１０】本発明の一実施形態を示すものであり、装置別設定項目テーブルの一例を示す図である。
【図１１】本発明の一実施形態を示すものであり、登録先情報の一例を示す図である。
【図１２】本発明の一実施形態を示すものであり、設定装置による生体測定装置の設定処理手順を示すフロー図である。
【図１３】本発明の一実施形態を示すものであり、図１２のＳ１１１の詳細な処理手順を示すフロー図である。
【図１４】本発明の一実施形態を示すものであり、出力態様の安全度がユーザ情報の秘匿度を上回らなかった場合に通知部２５によって表示されるユーザへの問い合わせ画面の一例を示す図である。
【図１５】本発明の一実施形態を示すものであり、ユーザ情報が有効期限を超過した場合に通知部によって表示されるユーザへの問い合わせ画面の一例を示す図である。
【図１６】本発明の一実施形態を示すものであり、図１２のＳ１１３の詳細な処理手順を示すフロー図である。
【図１７】本発明の一実施形態を示すものであり、秘匿度を上回る安全度の出力態様がない場合に通知部によって表示されるユーザへの問い合わせ画面の一例を示す図である。
【図１８】本発明の一実施形態を示すものであり、秘匿度を上回る安全度の出力態様が複数ある場合に通知部によって表示されるユーザへの問い合わせ画面の一例を示す図である。
【図１９】本発明の一実施形態を示すものであり、ユーザ情報データベースに格納されているユーザ情報の更新処理手順を示すフロー図である。
【図２０】本発明の一実施形態を示すものであり、生体測定装置から取得した測定結果をユーザ情報としてユーザ情報データベースに保存する処理手順を示すフロー図である。
【符号の説明】
【００６６】
１  脈波測定装置（生体測定装置）
２  歩数測定装置（生体測定装置）
３  血圧測定装置（生体測定装置）
４  体温測定装置（生体測定装置）
５  体脂肪測定装置（生体測定装置）
６  尿糖測定装置（生体測定装置）
７  設定装置
１３  体脂肪測定装置（生体測定装置）
２１  操作入力ユニット
２２  通信ユニット
２３  設定要求取得部（装置情報取得部）
２５  通知部
２６  設定情報出力部
２７  設定情報管理部
２７ａ  ユーザ情報管理部
２７ｂ  出力態様情報管理部
３０  記憶部（設定情報記憶部、秘匿度記憶部、設定項目記憶部、有効期間記憶部）
３１  ユーザ情報データベース
３２  期限情報テーブル
３３  宅内装置テーブル
３４  出力態様テーブル
３５  設定情報出力安全度テーブル
３６  装置別設定項目テーブル
３７  登録先情報
１００  設定システム
１０１  生体測定装置
１０４  設定要求通知部（装置情報通知部）
１０５  結果出力部
１０６  通信ユニット
１０８  設定内容取得部（設定部）
１０９  ユーザ情報記憶部
１１０  出力設定記憶部
【発明を実施するための最良の形態】
【００６７】
本発明の一実施形態について図１から図２０に基づいて説明する。以下の説明では、同一の部品には同一の符号を付してあり、それらの名称および機能も同一である。したがって、それらについての詳細な説明は繰り返さない。【００６８】
（システムの概要）
図２は、本発明の一実施形態を示すものであり、生体測定装置の設定システム１００（以下、単に「設定システム」という）の全体構成を示す図である。図２に示すように、設定システム１００は、複数の生体測定装置１・２・３・４・５・６・１３、設定装置７・７、ホームゲートウェイ８、ルータ９・１２、データベース１１などを含んでいる。設定システム１００に含まれる各装置は、通信ネットワークを介して通信が可能になっている。【００６９】
生体測定装置１…は、ユーザの各種生体情報を測定するものであり、本実施形態では、脈波測定装置１、歩数測定装置２、血圧測定装置３、体温測定装置４、体脂肪測定装置５、尿糖測定装置６などが含まれる。これらの生体測定装置１…の中には、ユーザの身体情報や個人情報が入力されることにより、初めて生体情報を測定して診断を行うことが可能になったり、あるいは、より正確に測定して診断を行うことが可能になったりするものがある。【００７０】
一例として、ユーザがダイエットを目的として脈波測定装置１を所持しているとする。この脈波測定装置１は、「目標心拍数」という心拍数を算出し、その心拍数を目安としてユーザに運動を行わせるので、ユーザの身体に過度な負担をかけることなく、ユーザの所望する運動強度を保つ効果が期待できる。つまり、ユーザは、運動中に脈波測定装置１を常時装着し、脈拍を測定しながら目標心拍数を目安として運動を行うことで、身体に負担をかけることなくダイエットに取組むことが可能になる。【００７１】
このような脈波測定装置１によって目標心拍数を算出する場合、ユーザは、まず、運動開始前の安静時に脈波測定装置１を装着して、脈波測定装置１に「目標とする運動強度（運動の強さ）」および「年齢」を入力し、脈波測定装置１によって心拍数を測定する。すると、脈波測定装置１は、測定結果と入力情報とに基づいて目標心拍数を算出する。【００７２】
一方、体脂肪測定装置５で体脂肪率を測定する場合、ユーザは測定前に「年齢」、「性別」および「身長」を入力し、続いて体脂肪測定装置５で体重および電流抵抗を測定すると、測定値および入力値から体脂肪測定装置が体脂肪率を算出する。また、歩数測定装置２の場合、体重を入力することで、測定した歩数に応じた消費カロリーを算出することができる。【００７３】
もちろん、上記の各生体測定装置に対する入力項目や、各生体測定装置が測定できる項目は上記に限られるものではない。例えば、歩数測定装置２の場合、より正確な消費カロリーを算出するために、「年齢」および「性別」をさらに入力してもよいし、歩く速さを測定してもよい。もちろん、生体測定装置は上記のものに限られず、体重計や身長計のような簡単なものから、ＣＴ（Computed Tomography）装置やＭＲＩ（Magnetic Resonance Imaging）装置などの高度な医療機器まで様々な種類のものを含む。【００７４】
このように、設定システム１００に含まれる生体測定装置は、予め所定の個人情報や身体情報を入力しておくことで、その情報と測定結果とから様々な生体情報を求めたり診断したりするものである。ユーザは、自分自身あるいは家族の体調管理、在宅医療サービスなどのヘルスケアを目的としてこのような生体測定装置を複数所持あるいは利用する。【００７５】
設定装置７は、上記の生体測定装置１…の各種設定を行うための装置である。より具体的には、設定装置７は、上述した各種生体測定装置１…が必要とする設定情報を予め記憶しており、各生体測定装置１…から設定要求を受信すると、設定情報を記憶部から読み出し、該設定情報によって示される設定内容を生体測定装置１…へ通知する。【００７６】
設定装置７が予め記憶しておく生体測定装置の設定情報としては、第１に、上述したユーザの身体情報および個人情報が挙げられる。詳細は後述するが、設定装置７は、生体測定装置１…による測定・診断の際に必要となるユーザの身体情報および個人情報をデータベース化して記憶しており、設定要求とともに受信した装置情報から生体測定装置１…に関する情報を取得すると、上記データベースの中から、設定要求を送信した生体測定装置１…が必要とする身体情報および個人情報を選出して読み出し通知する構成となっている。つまり、設定装置７は、上述の特許文献１の技術とは異なり、ユーザの身体情報および個人情報をデータベースによって一元的に管理している。従って、設定装置７のデータベースに対して身体情報および個人情報の入力や更新を行う場合に、生体測定装置ごとに同じ設定情報を繰り返し入力する必要がなく、ユーザの手間を大幅に軽減することができる。【００７７】
なお、設定装置７が記憶する設定情報は、上述のようなユーザの身体情報および個人情報に限られるものではない。例えば本実施形態において、設定装置７は、生体測定装置１…による測定結果や診断結果を表示する表示部も有しており、上記の測定結果や診断結果を生体測定装置１…に表示させるか、設定装置７の表示部に表示させるかなどの出力態様を指定する設定も行うことができる。【００７８】
また、生体測定装置１…による測定結果や診断結果をホームゲートウェイ８やインターネット１０上のデータベース１１に登録したい場合、設定装置７は生体測定装置に対して登録先を設定することもできる。生体測定装置１…による測定結果や診断結果を通信ネットワークを介して記憶装置上に登録できれば、例えば、宅内の生体測定装置１…によって測定した日々の血圧、体温、尿糖などの生体情報をまとめてホームゲートウェイ８やインターネット上のデータベース１１で管理することが可能になり、その結果、遠隔医療サービスなど通信ネットワークを介したヘルスケアサービスを受けることも可能になる。【００７９】
また、ホームゲートウェイ８や、インターネット１０上のデータベース１１は、宅内の生体測定装置１…の測定結果を蓄積するだけでなく、例えば、宅外に存在する体脂肪測定装置１３などの測定結果を蓄積してもよい。これにより、銭湯やスポーツクラブ、エステなどの出先の施設で測定した結果も蓄積することができ、より綿密に自身の生体情報を管理することが可能になる。【００８０】
以上のように、ユーザは、設定装置７を１つ所持するだけで、さまざまな生体測定装置に対して自身の身体情報や個人情報を登録したり、測定結果・診断結果の出力態様の設定を行ったりすることができ、多種多様な生体測定装置に対して簡便に設定を行うことができるようになる。【００８１】
なお、設定装置７は、ユーザが常に携帯しやすいものであることが好ましく、例えば、携帯電話機に組み込まれていることが好ましい。現在、携帯電話機は、普及率が特に高く、また、常に携帯する割合が高い機器でもある。従って、この携帯電話機に生体測定装置１…の設定機能を持たせることで、さらなる装置を携帯させることなく、生体測定装置１…の快適な使用環境をユーザに提供することができる。なお、携帯電話機特有の機能については公知の技術を利用することができるため以下では説明を省略する。【００８２】
（生体測定装置）
次に、生体測定装置１・２・３・４・５・６・１３の構成について説明する。ここでは、各生体測定装置に共通する構成についてのみ説明を行い、各種生体情報の測定機構などの固有の構成については従来のものと同様であるので説明を省略する。以下では、生体測定装置１・２・３・４・５・６・１３を含む本発明にかかる生体を測定する装置を総称して、生体測定装置１０１という。【００８３】
図３は、本発明の一実施形態を示すものであり、生体測定装置１０１の構成を示す機能ブロック図である。生体測定装置１０１は、図３に示すように、操作入力ユニット１０２、測定・診断部１０３、設定要求通知部１０４、結果出力部１０５、通信ユニット１０６、表示ユニット１０７、設定内容取得部１０８、ユーザ情報記憶部１０９、出力設定記憶部１１０を備えている。【００８４】
操作入力ユニット１０２は、ユーザが操作して生体測定装置１０１へ指示や情報を入力するための入力用ユーザインターフェースであり、例えば、複数のボタンなどを有している。表示ユニット１０７は、操作指示や、測定結果および診断結果（以下、両者をまとめて「測定結果」という）などの各種情報をユーザに対して視覚的に通知するためのものであり、例えば液晶パネルなどを有している。また、通信ユニット１０６は、設定装置７、ホームゲートウェイ８、ルータ９およびインターネット１０などと通信を行うためのハードウェア機器である。なお、通信ユニット１０６としては、例えば、近距離無線通信が可能なＢｌｕｅｔｏｏｔｈ（登録商標）ユニットや、ＩＥＥＥ８０２．１１に規定された無線通信が可能な無線通信ユニットであることが好ましい。これにより、生体測定装置１０１を設置する際に、配線による制約を受けることがない。【００８５】
ユーザ情報記憶部１０９は、フラッシュメモリなどによって構成され、測定・診断に必要なユーザの個人情報や身体情報（以下、両者をまとめて「ユーザ情報」という。）を格納するためのものである。また、出力設定記憶部１１０も、ユーザ情報記憶部１０９と同様にフラッシュメモリなどによって構成され、結果出力部１０５が測定結果や診断結果を出力する際の出力態様を示す設定情報を格納するためのものである。【００８６】
測定・診断部１０３は、上述した様々な生体情報を測定および／または演算するとともに、必要に応じてユーザの診断を行うものである。この測定・診断部１０３の詳細な構成は、生体測定装置１０１の測定対象となる生体情報の種類に依存するが、基本的には従来のものと同様の構成となっている。なお、測定・診断部１０３は、上述したように、ユーザの生体情報を測定する際に、図示しない測定機構からの測定値と、ユーザ情報記憶部１０９から読み込んだユーザ情報とに基づいて、目的の生体情報を求めたり、診断を行ったりする。【００８７】
設定要求通知部１０４は、測定・診断部１０３からの命令に従って、設定装置７へ設定要求を通知するものであり、具体的には、通信ユニット１０６を制御することにより、通信ネットワークを介して設定装置７へ設定要求を送信する。なお、測定・診断部１０３が設定要求通知部１０４に対して設定要求を送信するよう命令するタイミングとしては、例えば、ユーザが操作入力ユニット１０２を用いて生体情報の測定および／または測定結果に基づいた診断を指示したときなどが挙げられる。【００８８】
また、設定要求通知部１０４は、生体測定装置１０１を特定するための装置情報の送信も行う。この装置情報は、前述の設定要求の中に含まれていてもよい。装置情報は、具体的には、生体測定装置１０１の機器ＩＤ（製造番号、ネットワークアドレス、型番など）や、生体測定装置１０１が行う測定項目の名称や種別、カテゴリなどを特定するための種別ＩＤである。【００８９】
設定内容取得部１０８は、設定要求通知部１０４が設定装置７へ設定要求を通知した後に、設定装置７によって通知される設定内容を取得するものであり、具体的には、通信ユニット１０６を制御することにより、通信ネットワークを介して設定装置７から設定内容を受信する。そして、設定内容取得部１０８は、受信した設定内容がユーザ情報を示すものであればその設定内容に対応するユーザ情報をユーザ情報記憶部１０９に格納し、一方、受信した設定内容が測定結果の出力態様を指定するものであればその設定内容に対応する出力設定情報を出力設定記憶部１１０に格納する。【００９０】
結果出力部１０５は、測定・診断部１０３によって求められた測定結果を出力するものである。結果出力部１０５は、測定結果を出力する態様として、例えば、（１）表示ユニット１０７を制御して表示ユニット１０７に直接表示させる、（２）通信ユニット１０６を制御して設定装置７に送信するとともに設定装置７の表示ユニットに表示させる、（３）通信ユニット１０６を制御してホームゲートウェイ８やデータベース１１に送信して登録する、などの複数の態様を選択可能であり、上記（２）または（３）の方法によって測定結果の送信を行う場合、さらに送信データを暗号化するか否かも選択可能である。なお、結果出力部１０５は、これらの出力態様の選択を、出力設定記憶部１１０に格納された設定情報に基づいて行う。【００９１】
さて、このような生体測定装置１０１による処理手順について説明する。図４は、本発明の一実施形態を示すものであり、生体測定装置１０１によって実行される測定・診断処理手順を示すフロー図である。【００９２】
測定・診断部１０３は、図４に示すように、まず、ユーザから操作入力ユニット１０２を介して測定指示を受け取ったか否かを判定する（Ｓ６０１）。ここで、測定指示を受け取っていない場合は、そのまま測定指示を受け取るまで待機する。【００９３】
一方、測定指示を受け取った場合、測定・診断部１０３は、設定要求通知部１０４に対して設定要求を送信するよう指示する。これを受けて設定要求通知部１０４は、通信ユニット１０６を制御することにより、設定装置７へ設定要求、機器ＩＤおよび種別ＩＤを送信する（Ｓ６０３）。【００９４】
続いて、設定内容取得部１０８が、通信ユニット１０６を制御して、設定装置７から設定内容を受信するまで待機する（Ｓ６０５）。そして、設定内容を受信すると、設定内容取得部１０８は、該設定内容を示すユーザ情報および出力設定情報をユーザ情報記憶部１０９および出力設定記憶部１１０に格納する（Ｓ６０７）。【００９５】
次に、測定・診断部１０３が、ユーザ情報記憶部１０９から、測定・診断に必要なユーザ情報を読み込み、図示しない測定機構を用いてユーザの計測を行い、読み込んだユーザ情報と計測値とに基づいて、目的の生体情報を求めたり、ユーザの診断を行ったりする（Ｓ６０９）。そして、測定・診断部１０３は、得られた測定結果を結果出力部１０５に通知する。【００９６】
続いて、結果出力部１０５は、出力設定記憶部１１０から、出力態様を指定する出力設定情報を読み込み、該出力設定情報にて示される出力態様（上記の（１）〜（３）の何れか１つまたは組み合わせ）によって、測定・診断部１０３から受け取った測定結果を出力する（Ｓ６１１）。以上により、測定・診断処理を終了する。【００９７】
このように、本実施形態の生体測定装置１０１によれば、ユーザの測定・診断を行う前に、設定装置７に対して設定要求を送信するとともに、返信されたユーザ情報に基づいて測定を行うので、個人に合わせた条件で各種生体情報を測定することができ、また診断も行うことができる。さらに、本実施形態の生体測定装置１０１によれば、測定結果を出力する態様についても、設定装置７から送信される設定情報に基づいて設定するため、個人にあわせた態様で測定結果を出力することができる。そして、本実施形態の生体測定装置１０１によれば、これらの設定を行う際に、設定装置７から取得した設定情報に基づいてユーザ情報の設定および出力態様の設定を行うので、ユーザが操作入力ユニット１０２などを用いて手動で設定情報を入力する必要がなく、各種設定を簡便に行うことができる。【００９８】
（設定装置の構成）
次に、上述した生体測定装置１０１を設定するための設定装置７の構成について詳述する。図１は、本発明の一実施形態を示すものであり、設定装置７の構成を示す機能ブロック図である。設定装置７は、図１に示すように、表示ユニット２０、操作入力ユニット２１、通信ユニット２２を備えている。【００９９】
表示ユニット２０は、操作指示や生体測定装置１０１から受け取った測定結果などの各種情報をユーザに対して視覚的に通知するためのものであり、例えば液晶パネルなどを有している。操作入力ユニット１０２は、ユーザが操作して生体測定装置１０１へ指示や情報を入力するための入力用ユーザインターフェースであり、例えば、複数のボタンなどを有している。また、通信ユニット２２は、生体測定装置１０１と通信を行うためのハードウェア機器であり、通信形態は無線／有線の何れでもよいが、例えば、Ｂｌｕｅｔｏｏｔｈ（登録商標）ユニットや、ＩＥＥＥ８０２．１１に規定された無線通信が可能な無線通信ユニットであることが好ましい。【０１００】
ただし、通信ユニット２２は、生体測定装置１０１との通信だけでなく、ホームゲートウェイ８やインターネット１０上のデータベース１１との通信も可能となっている。これにより、設定装置７は、生体測定装置１０１から測定結果を受け取ると測定結果をホームゲートウェイ８やデータベース１１に出力する中継装置としても用いることができる。生体測定装置１０１から測定結果を受信する方法については、後述するためにここでの説明は割愛する。【０１０１】
また、設定装置７は、図１に示すように、さらに、設定要求取得部２３、設定情報取得部２４、通知部２５、設定情報出力部２６、設定情報管理部２７、記憶部３０を備えている。記憶部３０は、フラッシュメモリなどによって構成され、ユーザ情報データベース３１、期限情報テーブル３２、宅内装置テーブル３３、出力態様テーブル３４、設定情報出力安全度テーブル３５、装置別設定項目テーブル３６、登録先情報３７などを格納している。【０１０２】
図５は、本発明の一実施形態を示すものであり、ユーザ情報データベース３１の一例を示す図である。ユーザ情報データベース（以下、「ユーザ情報ＤＢ」という）３１は、図５に示すように、生体測定装置１０１を使用するユーザの個人情報および身体情報を含んでいる。より具体的には、ユーザ情報ＤＢ３１は、名前、生年月日および性別などの複数の項目からなる個人情報、ならびに、身長、ウェスト、体重、体脂肪率、収縮期血圧、拡張期血圧、体温、歩数、脈拍数および尿糖値などの複数の項目からなる身体情報を含んでいる。以下では、これらの個人情報および身体情報をまとめてユーザ情報ということもある。なお、図５に示すように、個々のユーザ情報（図中において「データ」と表記されている列の情報）は、ユーザ情報ＤＢ３１において、各項目の内容を特定するための識別子と対応付けられている。【０１０３】
また、ユーザ情報ＤＢ３１において、個々のユーザ情報は、その秘匿性の度合を示す秘匿度と対応付けられている。秘匿度は、この秘匿度と対応付けられたユーザ情報がどの程度プライベートな情報であるかを示すものであり、換言すれば、秘匿度と対応付けられたユーザ情報がユーザにとってどれだけ恥ずかしい情報であるか、また他人に知られたくない情報であるかを示すものである。本実施形態では、秘匿度は１〜５までの整数値で表され、値が大きいほどユーザ情報がプライベートな情報であることを示す。図５に示すように、例えば名前やウェスト、体重などは他人にあまり知られたくない情報であるため、秘匿度が比較的大きい値となっている。これに対して、身長は秘匿度が２点であり、秘匿度がやや低い情報であることがわかる。【０１０４】
また、ユーザ情報ＤＢ３１において、個々の身体情報は、その情報が作成あるいは更新された更新日と対応付けられている。この更新日は、データの鮮度を表しているともいえる。例えば、身長の場合、データ「１７８ｃｍ」は、更新日を示す「２００３年０１月０１日」と対応付けられているので、この１７８ｃｍという値が２００３年０１月０１日に測定されたものであることが分かる。一方、名前、生年月日、性別などの個人情報には、その情報が更新された更新日が対応付けられておらず、更新日として「Ｎｕｌｌ」という値が対応付けられている。これは、名前、生年月日、性別などの個人情報が基本的に変化しない不変的データであり、更新日にあまり意味がないと考えられるためである。なお、本実施形態では、更新時期を示す情報として日付のみが用いられているが、さらに時刻情報を追加してもよい。【０１０５】
このように、設定装置７は、ユーザ情報を不変的データ、変動的データのいずれかとして取り扱い、変動的データについては更新情報を対応付け、不変的データについては「Ｎｕｌｌ」という値を対応付けている。換言すれば、ユーザ情報のデータに更新情報が対応付けられている場合には、そのユーザ情報が変動的データであることを示し、ユーザ情報のデータに「Ｎｕｌｌ」という値が対応付けられている場合には、その個人情報または身体情報が不変的データであることを示している。従って、ユーザ情報ＤＢ３１では、名前、生年月日、性別が時間に左右されない不変的要素をもつデータであることがわかる。【０１０６】
なお、ユーザ情報ＤＢ３１には、ユーザまたはユーザの許可を得た人によってユーザ情報が予め登録・更新される。また、ユーザ情報のうち、身体情報については生体測定装置１０１による測定結果に基づいて自動的に更新することもできる。【０１０７】
図６は、本発明の一実施形態を示すものであり、期限情報テーブル３２の一例を示す図である。期限情報テーブル３２は、ユーザ情報ＤＢ３１に格納される個々のユーザ情報の有効期間を示すものである。この期限情報テーブル３２では、図６に示すように、各身体情報の有効期間が身体情報の識別子と対応付けられている。なお、この識別子の値には、図５のユーザ情報ＤＢ３１に示された識別子と共通の値が用いられる。【０１０８】
また、本実施形態では、各身体情報の有効期間が年齢ごとに示されており、各有効期間は、身体情報の識別子および年齢と対応付けられている。例えば、身長は０歳以上１０歳未満では３ヶ月間データが有効であり、１０歳以上２０歳未満では１ヶ月間有効であり、２０歳以上３０歳未満では１年間有効であり、３０歳以上では３年間データが有効であることがわかる。このように、情報の有効期間を年齢層別に設定したのは、身体情報は年齢層によって変化にむらがあり、同じ有効期間で鮮度を一律に保つことが難しいからである。なお、鮮度の定義づけはこれに限られるものではない。この期限情報テーブル３２は予め用意される。【０１０９】
なお、ユーザ情報ＤＢ３１では、ユーザ情報が項目の識別情報と対応付けられ、期限情報テーブル３２では、上記項目の識別情報と有効期間とが対応付けられている。従って、記憶部３０では、ユーザ情報がそれらの有効期間と対応付けられていると解釈できる。なお、対応付けについてのこのような解釈は他の情報についても同様であり、以下では説明を省略する。【０１１０】
図７は、本発明の一実施形態を示すものであり、宅内装置テーブル３３の一例を示す図である。宅内装置テーブル３３は、ユーザの宅内にどのような生体測定装置が設置されているかを示すものである。例えば、図２を例に取ると、宅内に設置された生体測定装置は、脈波測定装置１、歩数測定装置２、血圧測定装置３、体温測定装置４、体脂肪測定装置５および尿糖測定装置６となる。宅内装置テーブル３３は、宅内に設置されている各生体測定装置１０１の固有識別情報である機器ＩＤを含んでいる。そして、宅内装置テーブル３３において、各機器ＩＤはその機器ＩＤを有する生体測定装置１０１の種別（カテゴリ）を示す種別ＩＤと対応付けられている。なお、種別ＩＤは、各生体測定装置１０１が測定可能な身体情報および測定・診断に必要な身体情報の項目に基づいて決定される。従って、同一項目の身体情報を用いて同一項目の身体情報を測定する装置同士は、同一の種別ＩＤを有することになる。この宅内装置テーブル３３に登録される生体測定装置１０１の情報は、ユーザが生体測定装置１０１を購入した際に自動で更新される。なお、この宅内装置テーブル３３を参照することにより、装置情報に含まれる機器ＩＤから生体測定装置１０１のカテゴリ（種別）を示す種別ＩＤを得ることができる。【０１１１】
図８は、本発明の一実施形態を示すものであり、出力態様テーブル３４の一例を示す図である。出力態様テーブル３４は、生体測定装置１０１がユーザを測定して得られた測定結果の出力態様を示す情報であり、複数の異なる出力態様についての情報を含んでいる。本実施形態では、生体測定装置１０１による結果の出力態様として、結果を宅内の装置に転送したり、宅内にある生体測定装置１０１で表示したりするか、あるいは、結果を宅外の装置に転送したり、宅外にある生体測定装置１０１で表示したりするかの大別して２種類が選択できる。そして、宅内、宅外のそれぞれにおいて、さらに、ホームゲートウェイ８またはデータベース１１に結果を転送して登録するか、設定装置７に転送して設定装置７の表示ユニット２０に表示させるか、あるいは生体測定装置１０１の表示ユニット１０７に表示させるかを選択できる。また、結果をホームゲートウェイ８またはデータベース１１や設定装置７に転送する場合、さらに転送データを暗号化するか否かについても選択できる。【０１１２】
図８において、例えば「ホームゲートウェイ／ＤＢに転送」とは、ユーザが図２に示す宅内の各種生体測定装置１〜５や宅外の各種生体測定装置１０１を使用して生体情報を測定したときの測定結果をホームゲートウェイ８やインターネット上のデータベース１１に「転送」するという出力態様を意味する。【０１１３】
以上のことから、本実施形態では、１０通りの出力態様を指定することができるが、個々の出力態様には、その出力態様の安全性の度合を示す安全度が対応付けられている。この安全度は、該安全度に対応付けられた出力態様が安全であるかどうかを数値化したものであり、５段階（１〜５の整数値）で評価され、数値が高いほど安全で、安心して利用できる出力態様であることを示している。ここでは、宅内は宅外に比べて安全度が高く、暗号化有りは暗号化無しに比べて安全度が高く、設定装置７への転送はゲートウェイ８への転送に比べて安全度が高く定義されている。なお、出力態様の定義はこれに限られるものではない。例えば、測定結果や診断結果を音声によってユーザに通知する出力態様をさらに加えてもよいし、転送先の端末ごとに出力態様を定義してもよい。この出力態様テーブル３４は設定装置７の使用前に予め準備される。【０１１４】
図９は、本発明の一実施形態を示すものであり、設定情報出力安全度テーブル３５の一例を示す図である。設定情報出力安全度テーブル３５は、設定装置７が生体測定装置１０１へユーザ情報を通知する際の通知態様ごとの安全度を示すものである。通知態様の種類としては、図９に示すように、まず、宅内において設定装置７から生体測定装置１０１へユーザ情報を送信する場合と、宅外において送信する場合との２通りの態様に大別され、それぞれの態様は暗号化を行うか否かでさらに２通りの態様に分けられる。従って、本実施形態では、４通りの出力態様が想定される。本実施形態では、宅内は宅外に比べて安全度が高く、暗号化有りは暗号化無しに比べて安全度が高くなるように定義されている。この設定情報出力安全度テーブル３５は設定装置７の使用前に予め準備される。【０１１５】
図１０は、本発明の一実施形態を示すものであり、装置別設定項目テーブル３６の一例を示す図である。装置別設定項目テーブル３６は、図１０に示すように、生体測定装置１０１の種類を示す種別ＩＤと、測定対象となる身体情報の項目の識別情報と、測定の際に設定が必要となるユーザ情報の項目の識別情報とを対応付けて格納している。なお、装置別設定項目テーブル３６に格納される種別ＩＤの値には、図７に示す宅内装置テーブル３３に用いられる種別ＩＤと共通の値が用いられ、測定対象の項目の識別情報および設定が必要な項目の識別情報の値には、図５に示すユーザ情報ＤＢ３１に用いられる識別子と共通の値が用いられる。この装置別設定項目テーブル３６は設定装置７の使用前に予め準備される。図７に示す宅内装置テーブル３３とこの装置別設定項目テーブル３６とを参照することにより、装置情報に含まれる機器ＩＤから生体測定装置１０１が測定の際に設定を必要とするユーザ情報の種別を特定することが可能になる。【０１１６】
図１１は、本発明の一実施形態を示すものであり、登録先情報３７の一例を示す図である。本実施形態では、登録先情報３７は、生体測定装置１０１による測定結果を登録する登録先となる通信装置（例えばホームゲートウェイ８またはデータベース１１）のＩＰアドレスを含んでいる。この登録先情報３７は、ユーザまたはユーザの許可を得た人によって準備される。【０１１７】
設定要求取得部２３は、生体測定装置１０１からの設定要求、ならびに、生体測定装置１０１の機器ＩＤおよび種別ＩＤを含む装置情報を取得するものであり、具体的には、通信ユニット２２を制御することによって、生体測定装置１０１が送信した設定要求、機器ＩＤおよび種別情報を受信する。生体測定装置１０１から送信される機器ＩＤは生体測定装置１０１に固有のものであり、図７の宅内装置テーブル３３に示される機器ＩＤと共通のものである。一方、生体測定装置１０１から送信される種別ＩＤは、生体測定装置１０１の種別を示すものであり、宅内装置テーブル３３および装置別設定項目テーブル３６に示される種別ＩＤと共通のものである。【０１１８】
設定情報取得部２４は、ユーザ情報ＤＢ３１に登録するユーザ情報を取得するためのものであり、ユーザが操作入力ユニット２１を用いて入力した情報を取得する。【０１１９】
通知部２５は、ユーザに各種情報を通知するためのものであり、本実施形態では、表示ユニット２０を制御して、表示ユニット２０に各種メッセージを表示することにより、ユーザに対して情報の通知を行う。ただし、本発明はこの形態に限定されるものではなく、例えば音声などによって通知を行ってもよい。【０１２０】
通知部２５は、詳細は後述するが、（１）設定情報管理部２７によって選出されたユーザ情報を生体測定装置１０１へ通知してもよいか否かをユーザに問い合わせる、（２）設定情報管理部２７によって出力態様が複数選出された場合にどの出力態様を用いるかをユーザに問い合わせる、（３）通信ユニット２２を制御して生体測定装置１０１から測定結果を受信し、表示ユニット２０に表示する、（４）ユーザ情報ＤＢ３１に格納されたユーザ情報（特に身体情報）が有効期限切れの場合に、データの更新を求めるメッセージを表示ユニット２０に表示する、などの機能を有している。【０１２１】
設定情報出力部２６は、設定要求取得部２３が取得した設定要求に応じて、記憶部３０に格納された設定情報が示す設定内容を生体測定装置１０１に通知するものであり、具体的には、設定情報管理部２７によってユーザ情報ＤＢ３１から読み出されたユーザ情報、ならびに、設定情報管理部２７によって出力態様テーブル３４から読み出された出力態様情報を設定情報管理部２７から受け取り、受け取った各設定情報が示す設定内容を、通信ユニット２２を制御して生体測定装置１０１へ送信する。【０１２２】
また、本実施形態では、生体測定装置１０１による測定結果の出力態様は、項目ごとに変更可能となっている。従って、設定情報出力部２６は、測定項目・診断項目ごとに出力態様を生体測定装置１０１へ通知する。【０１２３】
設定情報管理部２７は、設定要求取得部２３が取得した設定要求に応じて、ユーザ情報ＤＢ３１からユーザ情報を読み出して設定情報出力部２６に通知するとともに、出力態様テーブル３４から、測定結果の出力態様を示す出力態様情報を読み出して設定情報出力部２６に通知するものである。設定情報管理部２７は、より詳細には、ユーザ情報ＤＢ３１からユーザ情報を読み出すユーザ情報管理部２７ａと、出力態様テーブル３４から出力態様情報を読み出す出力態様情報管理部２７ｂとを有している。【０１２４】
ユーザ情報管理部２７ａは、設定要求取得部２３が受信した機器ＩＤや種別ＩＤなどの装置情報に基づいて、設定要求を送信した生体測定装置１０１のカテゴリ（種別）を特定し、記憶部３０のユーザ情報ＤＢ３１の中から、設定要求を送信した生体測定装置１０１に必要なユーザ情報を選出する。また、ユーザ情報管理部２７ａは、選出したユーザ情報について、ユーザ情報に対応付けられた秘匿度と、設定情報出力部２６の出力態様に対応する安全度とを比較し、安全度が秘匿度を上回ったユーザ情報を、ユーザ情報ＤＢ３１の中からさらに選出して読み出す。一方、安全度が秘匿度を上回らなかったユーザ情報については、通知部２５が出力してもよいか否かをユーザに問い合わせ、ユーザ情報ＤＢ３１から読み出すか否かをユーザの指示に基づいて判断する。【０１２５】
一方、出力態様情報管理部２７ｂは、生体測定装置１０１による測定項目ごとに、測定結果の出力態様を示す出力態様情報を、出力態様テーブル３４から選出して読み出す。ここで、出力態様情報管理部２７ｂは、出力態様テーブル３４に登録された複数の出力態様情報の中から、出力態様の安全度および測定項目の秘匿度に基づいて、１又は複数の出力態様情報を選出する。より具体的には、出力態様情報に対応付けられた出力態様の安全度と、その出力態様で出力する測定結果の項目の秘匿度とを比較し、安全度が秘匿度を上回る出力態様が示された出力態様情報を候補として出力態様テーブル３４から選出する。そして、選出された出力態様情報が１つの場合は、出力態様情報管理部２７ｂは、その出力態様情報を設定情報出力部２６に通知する。一方、選出された出力態様情報が複数の場合は、通知部２５が、選出された複数の出力態様情報に示された出力態様のうち、どの出力態様を選択するかをユーザに問い合わせ、出力態様情報管理部２７ｂは、ユーザによって指定された出力態様情報を出力態様テーブル３４から読み出し、設定情報出力部２６に通知する。【０１２６】
（設定装置による生体測定装置の設定処理）
次に、設定装置７による生体測定装置１０１の設定処理について説明する。図１２は、本発明の一実施形態を示すものであり、設定装置７による生体測定装置１０１の設定処理手順を示すフロー図である。【０１２７】
まず、設定要求取得部２３が、通信ユニット２２を用いて生体測定装置１０１から設定要求を受信すると（Ｓ１０１においてＹｅｓ）、設定要求取得部２３は、続いて、生体測定装置１０１から、装置情報として機器ＩＤおよび種別ＩＤを受信する（Ｓ１０３）。そして、設定要求取得部２３は、生体測定装置１０１から設定要求を受信したことを設定情報管理部２７に通知するとともに、受信した機器ＩＤおよび種別ＩＤを設定情報管理部２７に通知する。【０１２８】
なお、生体測定装置１０１は、ユーザによる使用を電源オンなどの操作によって検出すると、無線通信によって設定要求を設定装置７へ出力するものとする。また、このとき、生体測定装置１０１は、自身が利用可能な出力態様を設定装置７へ通知してもよい。この例においては、生体測定装置には、生体測定装置１０１が出力可能な出力態様が、例えば「転送−暗号化有り」、「転送−暗号化無し」などとして予め設定されており、生体測定装置１０１は、設定要求、機器ＩＤ、および種別ＩＤとともに出力可能な出力態様を設定装置７に通知する。【０１２９】
また、生体測定装置１０１が宅内において使用される製品で、ホームゲートウェイ８に測定結果を登録するような連携機能を有したものであり、かつ、購入された直後の状態（購入後リセット処理を行った場合を含む）の場合には、生体測定装置１０１は、ホームゲートウェイ８の設定要求も出力するものとする。この場合（すなわちＳ１０５にてＹｅｓ）、設定装置７の設定要求取得部２３は、ホームゲートウェイ８の設定要求を取得すると、設定情報管理部２７の出力態様情報管理部２７ｂに対してホームゲートウェイ８の設定要求を取得したことを通知し、これを受けて出力態様情報管理部２７ｂは、記憶部３０から登録先情報３７を読み出し、該登録先情報３７に示されているホームゲートウェイ８のローカルアドレスを設定情報出力部２６が生体測定装置１０１へ送信する。その結果、生体測定装置１０１の設定内容取得部１０８が、受信したアドレスを測定結果の登録先として出力設定記憶部１１０に格納し、登録先の設定が完了する（Ｓ１０７）。【０１３０】
続いて、出力態様情報管理部２７ｂは、購入された生体測定装置１０１の機器ＩＤおよび種別ＩＤを宅内装置テーブル３３に登録する（Ｓ１０９）。【０１３１】
一方、Ｓ１０３にてＮｏの場合、および、Ｓ１０９の続きとして、設定情報管理部２７のユーザ情報管理部２７ａは、生体測定装置１０１に通知するユーザ情報（個人情報および身体情報）のリストを準備する（Ｓ１１１）。続いて、設定情報管理部２７の出力態様情報管理部２７ｂが、測定項目ごとに、測定結果の出力態様を決定する（Ｓ１１３）。なお、Ｓ１１１およびＳ１１３の詳細については後述する。そして、設定情報出力部２６が、Ｓ１１１において準備したユーザ情報と、Ｓ１１３において決定した出力態様とを生体測定装置へ通知する（Ｓ１１５）。その結果、生体測定装置１０１の設定内容取得部１０８が、これらの設定内容を取得し、取得した設定内容に基づいて設定が行われる。【０１３２】
次に、上述したＳ１１１における処理について詳述する。図１３は、本発明の一実施形態を示すものであり、図１２のＳ１１１の詳細な処理手順を示すフロー図である。【０１３３】
まず、ユーザ情報管理部２７ａは、図１０の装置別設定項目テーブル３６を参照し、通知された生体測定装置１０１の種別ＩＤに基づいて、該生体測定装置１０１に設定情報として必要なユーザ情報の識別子を特定する（Ｓ３０１）。換言すれば、ユーザ情報管理部２７ａは、装置別設定項目テーブル３６において、設定要求とともに生体測定装置１０１から取得した種別ＩＤに対応する個人情報および身体情報の識別子を検索する。ここで、生体測定装置１０１の設定に必要なユーザ情報が複数ある場合、すなわち、上記種別ＩＤに対応する個人情報および身体情報の識別子が複数得られた場合には、以下のＳ３０３からＳ３０７の処理を、それぞれのユーザ情報について（すなわち設定項目ごとに）繰り返して行う。【０１３４】
次に、ユーザ情報管理部２７ａは、設定に必要なユーザ情報の秘匿度を取得する（Ｓ３０３）。より具体的には、ユーザ情報管理部２７ａは、図５のユーザ情報ＤＢ３１を参照して、Ｓ３０３において検索した識別子に対応付けられた秘匿度を読み出す。【０１３５】
続いて、ユーザ情報管理部２７ａは、設定要求を通知してきた生体測定装置１０１が宅内のものか否かを判断する。具体的には、ユーザ情報管理部２７ａは、図７の宅内装置テーブル３３を参照し、該テーブル３３内に、生体測定装置１０１から通知された機器ＩＤが含まれているか否かを調べ、含まれている場合は、設定要求を通知してきた生体測定装置１０１が宅内のものであると判断し、一方、含まれていない場合は、宅外のものであると判断する。【０１３６】
なお、設定要求を通知してきた生体測定装置１０１が宅内のものであるか宅外のものであるかを判断する方法はこれに限られない。例えば、個々の生体測定装置１０１が、自機が宅内に設置されているか宅外に設置されているか（すなわち生体測定装置１０１の公共性）を示す設置場所情報を保有しており、設定装置７は、生体測定装置１０１からこの設置場所情報を装置情報として受信し、受信した設置場所情報に基づいて、設定要求を通知してきた生体測定装置１０１が宅内のものであるか宅外のものであるかを判断してもよい。【０１３７】
そして、ユーザ情報管理部２７ａは、図９の設定情報出力安全度テーブル３５を参照し、現在の設定情報の出力態様の安全度を取得する。例えば、設定要求を通知してきた生体測定装置１０１が宅内の装置で、かつ、設定情報を暗号化有りで通知する場合には安全度が４点であり、暗号化無しで通知する場合には安全度が５点であることを認識する。そして、ユーザ情報管理部２７ａは、ユーザ情報の秘匿度と、現在の出力態様の安全度とを比較し、安全度が秘匿度を上回っているか否かを判定する（Ｓ３０５）。【０１３８】
ここで、安全度が秘匿度を上回っている場合（Ｓ３０５にてＹｅｓ）には、ユーザ情報管理部２７ａは、Ｓ３０１において取得したユーザ情報の識別子を設定項目リストに追加し、一方、安全度が秘匿度を上回っていない場合（Ｓ３０５にてＮｏ）には、通知部２５が、表示ユニット２０に、ユーザ情報を送信してもよいか否かをユーザに問い合わせる（Ｓ３０７）。そして、ユーザ情報管理部２７ａは、ユーザの意向に従い、設定項目リストに識別子を追加するか、識別子を破棄する。前者の場合、出力情報送信部２６はユーザ情報を送信し、後者の場合、出力情報送信部２６はユーザ情報を送信しない。図１４は、本発明の一実施形態を示すものであり、出力態様の安全度がユーザ情報の秘匿度を上回らなかった場合に通知部２５によって表示されるユーザへの問い合わせ画面の一例を示す図である。【０１３９】
なお、上述したステップＳ３０５では、変形例として、設定装置７のユーザ情報管理部２７ａが、生体測定装置１０１から、設定情報の出力態様を示す設定情報出力態様情報を装置情報としてさらに取得し、この設定情報出力態様情報に基づいて設定情報の出力態様を特定し、特定した出力態様に対応する安全度を図９に示す設定情報出力安全度テーブルから取得してもよい。あるいは、設定装置７のユーザ情報管理部２７ａは、生体測定装置１０１から、設定情報の出力態様の安全度を示す安全度情報をさらに装置情報として取得してもよい。【０１４０】
Ｓ３０３〜Ｓ３０７までの処理を、Ｓ３０１において取得した識別子に対応する全てのユーザ情報について行うと、生体測定装置１０１へ通知するユーザ情報の項目の一覧が示されたリスト（以下、「設定項目リスト」という）が作成される（Ｓ３０９）。【０１４１】
次に、ユーザ情報管理部２７ａは、Ｓ３０９において作成した設定項目リストに示された各項目について、以下のＳ３１１からＳ３１５の処理により、ユーザ情報が有効期限を超過していないか否かを調査する。【０１４２】
すなわち、ユーザ情報管理部２７ａは、まず、図５のユーザ情報ＤＢ３１において、設定項目リストに示された識別子に対応付けられた更新日を取得する（Ｓ３１１）。続いて、ユーザ情報管理部２７ａは、図６の期限情報テーブル３２において、設定項目リストに示された識別子に対応付けられた有効期間を取得する。そして、ユーザ情報管理部２７ａは、図示しない計時部から現在の日付を取得し、取得した更新日と有効期間と現在の日付とに基づいて、ユーザ情報が有効期限を超過しているか否かを判定する（Ｓ３１３）。【０１４３】
ここで、ユーザ情報が有効期限を超過している場合（Ｓ３１３にてＹｅｓ）、通知部２５が、どのように処理するかをユーザに問い合わせる（Ｓ３１５）。そして、ユーザの意向に従い、ユーザ情報を更新しないままそのまま次に進むか、ユーザ情報を更新するか、あるいは、設定項目リストから項目（識別子）を削除する。図１５は、本発明の一実施形態を示すものであり、ユーザ情報が有効期限を超過した場合に通知部２５によって表示されるユーザへの問い合わせ画面の一例を示す図である。【０１４４】
そして、ユーザ情報管理部２７ａは、設定項目リストに示された各識別子に対応するユーザ情報をユーザ情報ＤＢ３１から取得し、ユーザ情報の一覧が示されたユーザ情報リストを作成する（Ｓ３１７）。以上により、図１２のＳ１１１の処理が終了する。【０１４５】
なお、上記の実施形態では、Ｓ３０５において安全度が秘匿度を上回っていない場合には、通知部２５がユーザ情報を生体測定装置１０１へ通知するか否かを問い合わせる構成となっていたが、本発明はこれに限定されず、安全度が秘匿度を上回らないユーザ情報については、設定情報出力部２６が生体測定装置１０１へ通知しない構成としてもよい。【０１４６】
また、上記の実施形態では、Ｓ３０１において、生体測定装置１０１が必要とするユーザ情報の項目を、生体測定装置１０１から受信した種別ＩＤに基づいて特定したが、本発明はこれに限定されず、生体測定装置１０１が必要とするユーザ情報の項目を、生体測定装置１０１から受信した機器ＩＤに基づいて特定してもよい。具体的には、ユーザ情報管理部２７ａは、図７に示す宅内装置テーブル３３を参照して、生体測定装置１０１から受信した機器ＩＤに対応する種別ＩＤを取得し、続いて、図１０に示す装置別設定項目テーブル３６を参照して、取得した上記種別ＩＤに対応するユーザ情報の識別子を取得してもよい。この場合、生体測定装置１０１から、該生体測定装置１０１の種別を示す種別ＩＤを受信しなくても、生体測定装置１０１の設定に必要なユーザ情報を特定することができる。従って、生体測定装置１０１に対してユーザ情報の設定を行う際に生体測定装置１０１から設定要求とともに受信する必要のある装置情報としては、生体測定装置１０１の機器ＩＤ、種別ＩＤのいずれか一方のみであってもよく、生体測定装置１０１の設定に必要な設定情報の項目を特定できる情報であれば特に限定されない。【０１４７】
以上では、設定装置７が個人端末として使用される場合の実施の形態について説明したが、本発明はこれに限られず、設定装置７が複数人で共用される場合も含む。例えば、設定装置７は、ユーザ毎に個人情報や身体情報などのユーザ情報を格納したデータベースを備え、設定装置７のユーザ情報管理部２７ａは、生体測定装置１０１から、装置情報の１つとしてユーザ識別情報（例えばユーザＩＤ）を取得し、そのユーザ識別情報に対応するユーザ情報をデータベースから読出して生体測定装置１０１に通知してもよい。【０１４８】
次に、上述したＳ１１３における処理について詳述する。図１６は、本発明の一実施形態を示すものであり、図１２のＳ１１３の詳細な処理手順を示すフロー図である。【０１４９】
以下では、生体測定装置１０１が単一の測定項目についての測定結果を出力するものであり、この測定結果の出力態様を設定する場合の処理の例を説明する。生体測定装置が複数の項目について測定結果を出力する場合は、各項目について以下の処理を行ってもよい。【０１５０】
まず、出力態様情報管理部２７ｂは、図１０の装置別設定項目テーブル３６を参照して、生体測定装置１０１から送信された種別ＩＤに基づいて、生体測定装置１０１の測定対象となる身体情報の項目を取得する（Ｓ２０１）。より詳細には、出力態様情報管理部２７ｂは、図１０の装置別設定項目テーブル３６において、生体測定装置１０１から取得した種別ＩＤに対応付けられた身体情報の項目（識別子）を取得する。【０１５１】
次に、出力態様情報管理部２７ｂは、図５のユーザ情報ＤＢ３１を参照して、Ｓ２０１において取得した項目の身体情報の秘匿度を取得する。より詳細には、出力態様情報管理部２７ｂは、ユーザ情報ＤＢ３１において、Ｓ２０１において取得した識別子に対応付けられた秘匿度を取得する。また、出力態様情報管理部２７ｂは、図８の出力態様テーブル３４を参照して、各出力態様の安全度を取得する（Ｓ２０３）。【０１５２】
続いて、出力態様情報管理部２７ｂは、Ｓ２０３において取得した秘匿度と各出力態様の安全度とを比較し（Ｓ２０５）、秘匿度を上回る安全度の出力態様があるか否かを判定する（Ｓ２０７）。ここで、秘匿度を上回る安全度の出力態様がない場合（Ｓ２０７にてＹｅｓ）、どのように処理するかを通知部２５がユーザに問い合わせる（Ｓ２１３）。図１７は、本発明の一実施形態を示すものであり、秘匿度を上回る安全度の出力態様がない場合に通知部２５によって表示されるユーザへの問い合わせ画面の一例を示す図である。【０１５３】
そして、Ｓ２０７において秘匿度を上回る安全度の出力態様があった場合、出力態様情報管理部２７ｂは、秘匿度を上回る安全度の出力態様が複数あるか否かを判定する（Ｓ２０９）。ここで、秘匿度を上回る安全度の出力態様が１つだけある場合（Ｓ２０９にてＮｏ）、出力態様情報管理部２７ｂは、秘匿度を上回る安全度に対応付けられた出力態様情報を出力態様テーブル３４から読み出し、設定情報出力部２６に通知する（Ｓ２１１）。【０１５４】
一方、秘匿度を上回る安全度の出力態様が複数ある場合（Ｓ２０９にてＹｅｓ）、どの出力態様を希望するかを通知部２５がユーザに問い合わせ（Ｓ２１５）、出力態様情報管理部２７ｂは、ユーザによって指定された出力態様を示す出力態様情報を出力態様テーブル３４から読み出す（Ｓ２１１）。図１８は、本発明の一実施形態を示すものであり、秘匿度を上回る安全度の出力態様が複数ある場合に通知部２５によって表示されるユーザへの問い合わせ画面の一例を示す図である。【０１５５】
なお、通知部２５による問い合わせは、表示ユニット２０にメッセージを表示する方法に限られず、音声出力ユニットを用いて音声でユーザに通知する方法などを用いてもよい。【０１５６】
以上では、設定装置７が生体測定装置１０１からの設定要求に応じてユーザ情報の項目の選択を行い、選択した項目のユーザ情報を出力する処理について説明したが、設定装置７が生体測定装置１０１に設定情報を出力するタイミングはこれに限られるものではない。例えば、操作入力ユニット２１を用いてユーザが行った操作から装置ＩＤや装置の種別ＩＤなどの装置情報を取得し、この装置情報に基づいて上述した実施形態と同様に設定情報の読み出しおよび設定内容の出力を行ってもよい。例えば、表示ユニット２０に「脈波測定装置１」、「歩数測定装置２」、「血圧測定装置３」、「体温測定装置４」、「体脂肪測定装置５」および「尿糖測定装置６」からなる項目の一覧を表示させ、ユーザにいずれかの項目を選択させることによって、装置情報（ここでは生体測定装置の種別）の取得が可能になる。さらには、ユーザが各項目を選択したときに表示される画面として、測定・診断に必要なユーザ情報の項目を入力するための画面を用意しておくことで、ユーザは自身が利用する生体測定装置１０１を選択し、入力画面に従って必要な設定項目を入力するようにもできる。これにより、ユーザが指定した生体測定装置１０１の設定が可能になる。【０１５７】
また、別の例では、設定装置７にタイマー機能を備えさせ、さらに、定刻になるとどの生体測定装置１０１に何の設定情報を出力するかを予めプログラムとして組み込んでおいてもよい。これにより、定期的に生体測定装置１０１の設定情報を自動的に更新することができる。また、自動発信のタイミングをユーザ情報の鮮度情報（有効期間）に関連付けておいてもよい。例えば、有効期間が切れたユーザ情報が更新された場合、そのタイミングで、更新情報もしくは更新情報を含む設定情報を、その更新情報を設定情報としている生体測定装置１０１に出力してもよい。【０１５８】
また、本実施形態では、記憶部３０に、各生体測定装置１０１が測定や診断に必要なユーザ情報の項目が示された装置別設定項目テーブル３６を予め格納しておいたが、測定や診断に必要なユーザ情報の項目を、Ｓ１０１において生体測定装置１０１から受信する構成としてもよい。この場合、記憶部３０の記憶容量を節約できると共に、各メーカの生体測定装置の特性に対して柔軟に対応することが可能となる。【０１５９】
（設定情報更新方法）
次に、設定装置７の記憶部３０に格納されている設定情報の更新方法について説明する。まず、設定装置７が定期的にユーザ情報ＤＢ３１のユーザ情報のデータの鮮度が落ちていないかどうかを判定する処理の一例を説明する。この例では、データの鮮度が落ちている場合に、設定装置７がユーザにそのことを通知し、データの更新を行うよう促す。これにより、ユーザはデータの更新忘れを回避でき、常にユーザ情報ＤＢ３１のデータの鮮度を保つことが可能になる。ユーザ情報の入力や更新の方法については、本例だけに限られず、自動的に更新する手法を採用してもよいし、ユーザの指示に基づいて更新する手法を採用してもよい。【０１６０】
図１９は、本発明の一実施形態を示すものであり、ユーザ情報ＤＢ３１に格納されているユーザ情報の更新処理手順を示すフロー図である。まず、設定情報管理部２７のユーザ情報管理部２７ａが、所定のトリガーが検出すると（Ｓ４０１にてＹｅｓ）、ユーザ情報ＤＢ３１に格納されているユーザ情報の中に、有効期限が切れているものがあるか否かを判定する（Ｓ４０３）。なお、上記のトリガーは、例えば、所定の時間が経過したときに自動的に検出されるものとすることができる。【０１６１】
有効期限の判定手順は、次の通りである。ユーザ情報管理部２７ａは、図５のユーザ情報ＤＢ３１から各ユーザ情報の更新時期を取得するとともに、各ユーザ情報の有効期間を図６の有効期限情報テーブルから取得する。そして、ユーザ情報管理部２７ａは、図示しない計時部から現在の日付を取得し、この日付と更新時期と有効期限とから、各ユーザ情報が期限切れになっていないかどうかを判定する。ここで、全てのユーザ情報が有効期限内であった場合（Ｓ４０３にてＮｏ）、処理を終了する。一方、有効期限切れのユーザ情報があった場合（Ｓ４０３にてＹｅｓ）は、ユーザ情報が有効期限切れになっていることを通知部２５がユーザに通知する。なお、通知部２５の通知方法としては、ユーザが携帯する携帯電話および設定装置７にメール機能を設けて、携帯電話機にメールで通知してもよいし、設定装置７に音声出力ユニットを設けて音声で通知してもいいし、設定装置７にバイブレータを設けて振動で通知してもいい。【０１６２】
次に、設定情報の初期登録、追加、修正、削除などの処理について説明する。設定情報には、上述したように大別してユーザ情報と登録先情報との２種類がある。さらに、ユーザ情報の中には、時間の変化とともに情報も変動する変動的データと、時間の変化に左右されない不変的データの２種類が含まれる。本実施形態の設定装置７は、上述したように、各身体情報を不変的要素と変動的要素に分類して記憶し、変動的要素に分類された要素については時刻属性を付与して記憶している。【０１６３】
設定情報の入力方法としては、例えば、設定装置７に設定情報入力フォーマットデータシートを用意しておき、ユーザがデータシートに従って操作入力ユニット２１から設定情報を入力する方法や、ユーザが実際に体脂肪測定装置５などの生体測定装置１０１を使って生体情報（身体情報）を測定したときの測定結果を設定情報として登録・更新する方法などがある。ここで、生体測定装置１０１により測定して得られたデータは、全て変動的データであると考えられるため、変動的データについては、生体測定装置１０１による測定結果に自動的に時刻情報を付加して記憶することとする。一方、不変的データについては上記のデータシートを用いて入力することとする。【０１６４】
上記のデータシートを用いて設定情報を入力する手順は以下の通りである。本実施形態では、名前、生年月日、性別、登録先、登録先ネットワークＩＤ、ＩＰアドレスの項目を含むデータシートを用意し、各項目を予めユーザ情報および登録先情報の何れかにタグ付けしておく。さらに、ユーザ情報の名前、生年月日および性別については、不変的データであるというタグ付けもしておく。従って、設定情報取得部２４がユーザにより入力されたデータを受信すると、設定情報管理部２７は、各項目に付されたタグ情報に基づいて、各項目に入力されたデータをユーザ情報ＤＢ３１、登録先情報３７の何れかに格納する。また、不変的データについては、更新日情報を「Ｎｕｌｌ」として格納する。【０１６５】
図２０は、本発明の一実施形態を示すものであり、生体測定装置１０１から取得した測定結果をユーザ情報としてユーザ情報ＤＢ３１に保存する処理手順を示すフロー図である。ここでは、上述したとおり、生体測定装置１０１による測定結果は変動的データであるとみなし、測定結果をユーザ情報ＤＢ３１に保存するときは、更新日情報を付加する。また、体重や体脂肪率などの各生体測定装置１０１が測定可能な項目とユーザ情報ＤＢ３１に格納される項目とが予め対応付けられているものとする。本実施形態では、ユーザ情報ＤＢ３１の識別子と装置別設定項目テーブル３６の測定対象とに共通の値が用いられている。【０１６６】
まず、ユーザ情報管理部２７ａは、通信ユニット２２を介して生体測定装置１０１から測定結果を受信すると（Ｓ５０１にてＹｅｓ）、図示しない計時部から現在の日付を取得する（Ｓ５０３）。そして、ユーザ情報管理部２７ａは、Ｓ５０１にて受信した測定結果を身体情報としてユーザ情報ＤＢ３１に格納するとともに、格納した身体情報に、Ｓ５０３にて取得した日付を更新日情報として対応付ける（Ｓ５０５）。【０１６７】
例えば、体脂肪測定装置５から体重および体脂肪率の測定結果を取得すると、ユーザ情報管理部２７ａは、ユーザ情報ＤＢ３１において体重および体脂肪の項目を検索し、検索した項目に対応する身体情報を更新する。また、ユーザ情報管理部２７ａは、更新した身体情報と対応付けて、現在の日付情報を更新日情報として格納する。なお、ユーザ情報管理部２７ａは、検索した項目の更新日情報から既にユーザ情報ＤＢ３１に格納されている身体情報の鮮度を調べ、鮮度がまだ有効であれば、ユーザ情報ＤＢ３１の身体情報を更新しない構成としてもよい。【０１６８】
次に、通知部２５が、更新した身体情報の秘匿度を編集するか否かをユーザに問い合わせる（Ｓ５０７）。ここで、ユーザが秘匿度を編集すると回答した場合（Ｓ５０７にてＹｅｓ）、秘匿度編集データシートを表示し、ユーザに秘匿度の編集を行ってもらう（Ｓ５０９）。なお、秘匿度編集データシートは、予め記憶部３０に格納されていることとする。一方、Ｓ５０７において、ユーザが秘匿度を編集しないと回答した場合は処理を終了する。【０１６９】
以上のように、本実施形態の設定装置７は、生体測定装置１０１に適用される設定内容が示された設定情報を格納する記憶部３０（特にユーザ情報ＤＢ３１および出力態様テーブル３４）と、生体測定装置１０１から設定要求を取得する設定要求取得部２３と、設定要求取得部２３が設定要求を取得した場合に、記憶部３０に格納された設定情報が示す設定内容を生体測定装置１０１へ通知する設定情報出力部２６とを備えているので、生体測定装置１０１に対してユーザが煩雑な操作を行うことなく、生体測定装置１０１の各種設定を簡便に行うことができる。【０１７０】
また、各種生体測定装置１０１の設定に用いられるユーザ情報は、ユーザの生年月日（年齢、月例）や性別、さらには、身長、体重など、共通に用いられる要素が多いが、生体測定装置１０１の装置情報に応じて必要なユーザ情報を適宜取捨選択して設定を行うことによって、記憶容量を節約したり、入力の際のユーザの負担を軽減したりすることができる。【０１７１】
また、記憶部３０のユーザ情報ＤＢ３１は、上記の設定情報として、生体測定装置１０１の測定対象となるユーザの身体情報および個人情報などのユーザ情報を格納しているので、生体測定装置１０１が測定時に必要とする身体情報や個人情報の設定を容易に行うことができる。【０１７２】
また、記憶部３０は、生体測定装置１０１の識別情報である種別ＩＤと上記設定情報を特定するための識別子である識別子とを対応付けて装置別設定項目テーブル３６として格納するとともに、ユーザ情報ＤＢ３１において上記ユーザ情報を上記識別子と対応付けて格納し、設定要求取得部２３は、生体測定装置１０１から種別ＩＤを取得し、ユーザ情報管理部２７ａは、装置別設定項目テーブル３６から、設定要求取得部２３が取得した種別ＩＤに対応する上記識別子を読み出すとともに、ユーザ情報ＤＢ３１から、読み出した上記識別子に対応するユーザ情報を選出し、設定情報出力部２６は、ユーザ情報管理部２７ａによって選出された設定情報が示す設定内容を生体測定装置１０１へ通知するので、複数の項目にわたる設定情報を一元管理でき、設定情報の管理の効率を向上させることができる。【０１７３】
また、記憶部３０のユーザ情報ＤＢ３１は、ユーザ情報を複数の項目について格納するとともに、個々のユーザ情報を該ユーザ情報の秘匿性の度合を示す秘匿度と対応付けて格納し、ユーザ情報管理部２７ａは、設定要求取得部２３が設定要求を取得した場合に、ユーザ情報ＤＢ３１に格納された秘匿度と閾値とを比較し、通知部２５は、ユーザ情報管理部２７ａよる上記比較結果に応じて、ユーザ情報の内容を上記生体測定装置１０１へ通知するか否かをユーザに問い合わせるので、ユーザのプライバシーに配慮した設定環境を提供することができる。【０１７４】
また、変形例においては、記憶部３０のユーザ情報ＤＢ３１は、ユーザ情報を複数の項目について格納するとともに、個々のユーザ情報を該ユーザ情報の秘匿性の度合を示す秘匿度と対応付けて格納し、ユーザ情報管理部２７ａは、設定要求取得部２３が設定要求を取得した場合に、ユーザ情報ＤＢ３１に格納された秘匿度と閾値との比較結果に基づいて、ユーザ情報ＤＢ３１に格納された複数のユーザ情報の中から１または複数のユーザ情報を選出し、設定情報出力部２６は、ユーザ情報管理部２７ａによって選出されたユーザ情報の内容を生体測定装置１０１へ通知するので、第三者に知られたくない設定情報を秘匿度に基づいて判断し、これらの設定内容を生体測定装置１０１へ通知しないようにすることができ、ユーザのプライバシーに配慮した設定環境を提供することができる。【０１７５】
なお、本実施形態では、上記の閾値は、設定情報出力部２６による生体測定装置１０１への通知態様の安全性の度合を示す安全度となっているので、通知態様の安全性が確保されない場合（すなわち傍聴されやすい通知態様の場合）には、特定の設定情報の内容を測定装置に対して通知しない、あるいは、通知するか否かをユーザの判断にゆだねることができる。また、秘匿度は、ユーザによって登録・変更が可能になっている。【０１７６】
また、記憶部３０のユーザ情報ＤＢ３１は、ユーザ情報を、当該ユーザ情報の更新日と対応付けて格納し、通知部２５は、ユーザ情報が更新されてから期限情報テーブルに示された有効期間が経過していることが、ユーザ情報ＤＢ３１に格納された更新日および図示しない計時部に基づいて検出されると、ユーザに対して、ユーザ情報の更新を促す通知を行うので、ユーザが身体情報や個人情報の更新を忘れ、長期間放置してしまうといった問題を予防することができる。また、有効でなくなった古い体重などの生体情報に基づいて測定や診断が行われることを防止することができる。さらには、定期的あるいは頻繁な身体情報の更新がユーザに催されるため、ユーザの日々の健康に対する意識を高めることができる。また、有効期間は身体情報の種別に応じて設定されているため、身長などの比較的不変的な身体情報については、体重のように頻繁に更新が要求されることがない。なお、有効期間については、身体情報の種別だけでなく、その測定の目的などの別の要因を加味して判断するようにしてもよいことは言うまでもない。【０１７７】
また、記憶部３０の出力態様テーブル３４は、設定情報として、生体測定装置１０１による測定結果の出力態様を示す出力態様情報を格納しているので、生体測定装置１０１が測定結果を出力する際に必要となる出力態様の設定を容易に行うこともできる。【０１７８】
また、記憶部３０の出力態様テーブル３４は、測定結果を生体測定装置１０１によってユーザに通知する出力態様を示す第１の出力態様情報と、測定結果を設定装置７の通知部２５によってユーザに通知する出力態様を示す第２の出力態様情報とを含む複数の出力態様情報を格納し、設定情報管理部２７の出力態様情報管理部２７ｂは、設定要求取得部２３が設定要求を取得した場合に、出力態様テーブル３４から出力態様情報を選出し、設定情報出力部２６は、出力態様情報管理部２７ｂによって選出された出力態様情報が示す出力態様を上記生体測定装置１０１へ通知するので、例えば、公共の場に設置された生体測定装置１０１によって生体情報を測定する際に、例えば身長などの第三者以外に知られても構わないような測定結果については生体測定装置１０１に表示させる一方、体重などの第三者には知られたくないような測定結果については手元の設定装置７に表示させるといったことも可能になる。【０１７９】
また、記憶部３０のユーザ情報ＤＢ３１は、生体測定装置１０１による測定結果の秘匿性の度合を示す秘匿度を格納するとともに、記憶部３０の出力態様テーブル３４は、上記出力態様の異なる複数の上記出力態様情報を格納し、出力態様情報管理部２７ｂは、設定要求取得部２３が設定要求を取得した場合に、上記秘匿度に基づいて出力態様テーブル３４から出力態様情報を選出し、設定情報出力部２６は、出力態様情報管理部２７ｂによって選出された出力態様情報が示す出力態様を生体測定装置１０１へ通知するので、測定結果を好適な出力態様でユーザへ通知するように設定することができ、ユーザのプライバシーに配慮した出力態様となるように生体測定装置１０１を設定することができる。【０１８０】
また、記憶部３０の出力態様テーブル３４は、出力態様の異なる複数の出力態様情報を格納するとともに、個々の出力態様情報を、該出力態様情報によって示される出力態様の安全性の度合を示す安全度と対応付けて格納し、出力態様情報管理部２７ｂは、設定要求取得部２３が設定要求を取得した場合に、上記安全度に基づいて出力態様テーブル３４から出力態様情報を選出し、設定情報出力部２６は、出力態様情報管理部２７ｂによって選出された出力態様情報が示す出力態様を生体測定装置１０１へ通知するので、出力態様の安全度を考慮して測定結果の出力態様を決定することができる。【０１８１】
また、記憶部３０のユーザ情報ＤＢ３１は、生体測定装置１０１による測定結果の秘匿性の度合を示す秘匿度を格納し、記憶部３０の出力態様テーブル３４は、出力態様の異なる複数の出力態様情報を格納するとともに、個々の出力態様情報を、該出力態様情報によって示される出力態様の安全性の度合を示す安全度と対応付けて格納し、出力態様情報管理部２７ｂは、設定要求取得部２３が設定要求を取得した場合に、ユーザ情報ＤＢ３１に格納された秘匿度と出力態様テーブル３４に格納された安全度とに基づいて出力態様テーブル３４から出力態様情報を選出し、設定情報出力部２６は、出力態様情報管理部２７ｂによって選出された出力態様情報が示す出力態様を生体測定装置１０１へ通知するので、測定結果の秘匿度および出力態様の安全度の双方を考慮して、適切な出力態様となるように生体測定装置１０１を設定することができる。【０１８２】
また、出力態様情報管理部２７ｂは、記憶部３０の出力態様テーブル３４に格納された複数の出力態様情報の中から複数の出力態様情報の候補を選出し、設定情報出力部２６は、出力態様情報管理部２７ｂによって選出された上記候補の中からユーザによって指定された何れか１つの出力態様情報が示す出力態様を生体測定装置１０１へ通知するので、ユーザの意向も取り入れた出力態様の設定が可能である。【０１８３】
なお、本実施形態では、上記秘匿度および安全度は、ユーザによって設定可能となっている。【０１８４】
また、記憶部３０は、上記設定情報として、生体測定装置１０１による測定結果の登録先を示す登録先情報３７を格納しているので、生体測定装置１０１に対してこのような登録先の設定を容易に行うことができる。【０１８５】
また、設定装置７は、生体測定装置１０１と無線通信を行うための通信ユニット２２を有し、設定情報出力部２６は、通信ユニット２２を用いて、生体測定装置１０１へ設定内容を無線で送信するので、生体測定装置１０１を設定する際に、設定装置７を生体測定装置１０１に接触させたり、設定装置７と生体測定装置１０１をケーブルで接続したりといった特別な操作を行う必要をなくすことができる。【０１８６】
同様に、通知部２５は、通信ユニット２２を用いて、生体測定装置１０１から測定結果を無線で受信するので、ユーザが生体測定装置１０１による測定結果を設定装置７に通知させる際に、設定装置７を生体測定装置１０１に接触させたり、設定装置７と生体測定装置１０１をケーブルで接続したりといった特別な操作を行う必要をなくすことができる。【０１８７】
また、本実施形態では、設定装置７は携帯電話機に組み込まれているので、さらなる装置を携帯させることなく、生体測定装置１０１の快適な使用環境をユーザに提供することができる。【０１８８】
最後に、生体測定装置１０１および設定装置７の各部は、ハードウェアロジックによって構成してもよいし、次のようにＣＰＵを用いてソフトウェアによって実現してもよい。【０１８９】
すなわち、設定装置７は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである生体測定装置１０１または設定装置７の制御プログラムのプログラムコード（実行形式プログラム、中間コードプログラム、ソースプログラム）をコンピュータで読み取り可能に記録した記録媒体を、上記生体測定装置１０１または設定装置７に供給し、そのコンピュータ（またはＣＰＵやＭＰＵ）が記録媒体に記録されているプログラムコードを読み出し実行することによっても、達成可能である。【０１９０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１９１】
また、生体測定装置１０１または設定装置７を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１９２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１９３】
以上のように、本発明に係る設定装置は、生体測定装置に適用される設定内容が示された設定情報を複数格納する設定情報記憶部と、上記生体測定装置に関する情報である装置情報を取得する装置情報取得部と、上記設定情報記憶部から、上記装置情報取得部の取得した装置情報に基づいて１または複数の設定情報を読み出す設定情報管理部と、上記設定情報管理部が読み出した設定情報が示す設定内容を上記生体測定装置へ通知する設定情報出力部とを備えた構成となっている。【０１９４】
また、本発明に係る生体測定装置は、自機に関する情報である装置情報を外部装置へ通知する装置情報通知部と、上記装置情報通知部が通知した装置情報に応じて返信される設定内容を取得する設定内容取得部と、上記設定内容取得部が取得した設定内容に基づいて設定を行う設定部とを備えた構成となっている。【０１９５】
また、本発明に係る別の設定装置は、生体測定装置に適用される設定内容が示された設定情報を格納する設定情報記憶部と、上記生体測定装置から設定要求を取得する設定要求取得部と、上記設定要求取得部が上記設定要求を取得した場合に、上記設定情報記憶部に格納された上記設定情報が示す設定内容を上記生体測定装置へ通知する設定情報出力部とを備えた構成となっている。【０１９６】
従って、上述したように、生体測定装置の各種設定を簡便に行うことができる。【０１９７】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内において、いろいろと変更して実施することができるものである。
【産業上の利用可能性】
【０１９８】
本発明によれば、各種生体測定装置の設定を簡便に行えるようになるので、医療関連機器に好適に適用できる。
【図１】
2007148681.tif 000003
【図２】
2007148681.tif 000004
【図３】
2007148681.tif 000005
【図４】
2007148681.tif 000006
【図５】
2007148681.tif 000007
【図６】
2007148681.tif 000008
【図７】
2007148681.tif 000009
【図８】
2007148681.tif 000010
【図９】
2007148681.tif 000011
【図１０】
2007148681.tif 000012
【図１１】
2007148681.tif 000013
【図１２】
2007148681.tif 000014
【図１３】
2007148681.tif 000015
【図１４】
2007148681.tif 000016
【図１５】
2007148681.tif 000017
【図１６】
2007148681.tif 000018
【図１７】
2007148681.tif 000019
【図１８】
2007148681.tif 000020
【図１９】
2007148681.tif 000021
【図２０】
2007148681.tif 000022
【国際調査報告】
2007148681.tif 000023
2007148681.tif 000024
2007148681.tif 000025
2007148681.tif 000026
2007148681.tif 000027
2007148681.tif 000028
2007148681.tif 000029